(57)【要約】【課題】蓋板を早期に基準状態に収束し、不必要な揺動を短時間に抑制することが可能な蓋付き容器を提供する。【解決手段】上面近傍に開口部１を有した容器本体２を設け、容器本体２の上縁３近傍の周囲に嵌合した取付枠４を設け、取付枠４に投入口５を設け、取付枠４の中央部６にて回動自在に枢設した蓋体７を設け、蓋体７の端部８を押圧すると蓋体７が投入口５を開放できるようにしたスイング式蓋付き容器９で、蓋体７の中央部１０に一体的に軸部１１を配置し、取付枠４の中央部６に一体的に軸受部１２を配置し、軸部１１、軸受部１２で、蓋体７を枢設し、軸部１１に永久磁石１５を設け、軸受部１２の周辺の軸受周辺部１４にヒステリシス板１６を設け、永久磁石１５とヒステリシス板１６を面対向して設け、蓋体７の端部８を押圧することにより回動する蓋体７を制動することを特徴とするスイング式蓋付き容器９。【選択図】図１
2009102023.tif 000002
【特許請求の範囲】
【請求項１】
上面近傍に開口部を有した容器本体を設け、上記容器本体の上縁近傍の周囲に嵌合した取付枠を設け、上記取付枠に投入口を設け、上記取付枠の中央部にて回動自在に枢設した蓋体を設け、上記蓋体の端部を押圧すると上記蓋体が上記投入口を開放できるようにしたスイング式蓋付き容器において、上記枢設しているところの軸部または上記軸部の周辺の軸周辺部または上記軸部を受ける軸受部または上記軸受部の周辺の軸受周辺部に、上記蓋体と上記取付枠にて、永久磁石とヒステリシス板を面対向して設け、あるいは、上記蓋体と上記取付枠にて、ヒステリシス板と永久磁石を面対向して設け、上記蓋体の上記端部を押圧することにより回動する上記蓋体を制動することを特徴とするスイング式蓋付き容器。
【請求項２】
上面近傍に開口部を有した容器本体を設け、上記容器本体の上縁近傍の周囲に嵌合した取付枠を設け、上記取付枠に投入口を設け、上記取付枠の中央部にて回動自在に枢設した蓋体を設け、上記蓋体の端部を押圧すると上記蓋体が上記投入口を開放できるようにしたスイング式蓋付き容器において、上記蓋体の中央部に一体的に軸部を配置して上記取付枠の中央部に一体的に軸受部を配置し、あるいは、上記蓋体の中央部に一体的に軸受部を配置して上記取付枠の中央部に一体的に軸部を配置し、上記軸部、上記軸受部で、上記蓋体を枢設し、上記軸部の周辺の軸周辺部または上記軸部に永久磁石を設け、上記軸受部の周辺の軸受周辺部または上記軸受部にヒステリシス板を設け、上記永久磁石と上記ヒステリシス板を面対向して設け、あるいは、上記軸部の周辺の軸周辺部または上記軸部にヒステリシス板を設け、上記軸受部の周辺の軸受周辺部または上記軸受部に永久磁石を設け、上記ヒステリシス板と上記永久磁石を面対向して設け、それとも、上記蓋体の中央部に一体的に第２軸受部を配置し、上記取付枠の中央部に一体的に第３軸受部を配置し、上記蓋体および上記取付枠から独立し設けた独立軸部を設け、上記第２軸受部と上記第３軸受部に上記独立軸部を挿入し、上記第２軸受部、上記第３軸受部、上記独立軸部で、上記蓋体を枢設し、上記第２軸受部の周辺の第２軸受周辺部または上記第２軸受部に永久磁石を設け、上記第３軸受部の周辺の第３軸受周辺部または上記第３軸受部にヒステリシス板を設け、上記永久磁石と上記ヒステリシス板を面対向して設け、あるいは、上記第２軸受部の周辺の第２軸受周辺部または上記第２軸受部にヒステリシス板を設け、上記第３軸受部の周辺の第３軸受周辺部または上記第３軸受部に永久磁石を設け、上記ヒステリシス板と上記永久磁石を面対向して設け、上記蓋体の上記端部を押圧することにより回動する上記蓋体を制動することを特徴とするスイング式蓋付き容器。
【請求項３】
上面近傍に開口部を有した容器本体を設け、この容器本体の上縁近傍の周囲に嵌合した取付枠を設け、この取付枠に投入口を設け、開き方向に付勢するバネを介して此の取付枠に蓋体を枢設し、開き方向に付勢する此の蓋体を掛止する揺動自在な掛止部材をこの取付枠の一端に設け、この掛止部材を押圧すると此の蓋体が此の投入口を開放できるようにしたプッシュオン式蓋付き容器において、この枢設しているところの軸部または此の軸部の周辺の軸周辺部または此の軸部を受ける軸受部または此の軸受部の周辺の軸受周辺部に、この蓋体と此の取付枠にて、永久磁石とヒステリシス板を面対向して設け、あるいは、この蓋体と此の取付枠にて、ヒステリシス板と永久磁石を面対向して設け、この掛止部材を押圧することにより閉じている此の蓋体が開放し、回転する此の蓋体を制動することを特徴とするプッシュオン式蓋付き容器。
【請求項４】
上面近傍に開口部を有した容器本体を設け、この容器本体の上縁近傍の周囲に嵌合した取付枠を設け、この取付枠に投入口を設け、開き方向に付勢するバネを介して此の取付枠に蓋体を枢設し、開き方向に付勢する此の蓋体を掛止する揺動自在な掛止部材をこの取付枠の一端に設け、この掛止部材を押圧すると此の蓋体が此の投入口を開放できるようにしたプッシュオン式蓋付き容器において、この蓋体に一体的に軸部を配置して此の取付枠に一体的に軸受部を配置し、あるいは、この蓋体に一体的に軸受部を配置して此の取付枠に一体的に軸部を配置し、この軸部、この軸受部で、この蓋体を枢設し、この軸部の周辺の軸周辺部または此の軸部に永久磁石を設け、この軸受部の周辺の軸受周辺部または此の軸受部にヒステリシス板を設け、この永久磁石と此のヒステリシス板を面対向して設け、あるいは、この軸部の周辺の軸周辺部または此の軸部にヒステリシス板を設け、この軸受部の周辺の軸受周辺部または此の軸受部に永久磁石を設け、このヒステリシス板と此の永久磁石を面対向して設け、それとも、この蓋体に一体的に第２軸受部を配置し、この取付枠に一体的に第３軸受部を配置し、この蓋体および此の取付枠から独立し設けた独立軸部を設け、この第２軸受部と此の第３軸受部に此の独立軸部を挿入し、この第２軸受部、この第３軸受部、この独立軸部で、この蓋体を枢設し、この第２軸受部の周辺の第２軸受周辺部または此の第２軸受部に永久磁石を設け、この第３軸受部の周辺の第３軸受周辺部または此の第３軸受部にヒステリシス板を設け、この永久磁石と此のヒステリシス板を面対向して設け、あるいは、この第２軸受部の周辺の第２軸受周辺部または此の第２軸受部にヒステリシス板を設け、この第３軸受部の周辺の第３軸受周辺部または此の第３軸受部に永久磁石を設け、このヒステリシス板と此の永久磁石を面対向して設け、この掛止部材を押圧することにより閉じている此の蓋体が開放し、回転する此の蓋体を制動することを特徴とするプッシュオン式蓋付き容器。
【請求項５】
請求項１〜２に記載のスイング式蓋付き容器、請求項３〜４に記載のプッシュオン式蓋付き容器において、ヒステリシス板、に代えて、永久磁石、にしたことを特徴とする蓋付き容器。
【発明の詳細な説明】
【技術分野】
【０００１】
本発明は、ごみ容器等に利用するスイング式蓋付き容器、プッシュオン式蓋付き容器に関する。
【背景技術】
【０００２】
一般に、容器部と蓋部とからなり、蓋部は蓋体と枠体とからなり、蓋体は枠体の上面開口部に設けられ、蓋体を左右にほぼ２等分する中心線のまわりに回動するように蓋体が枠体に枢支され、平常時は蓋体が枠体の上面開口部を閉塞している基準位置にあるごみ箱において、蓋体の左側部分を前記基準位置より下方に押動したとき、この左側部分の下方回動を弾性的に受け止めつつその下方回動を所定範囲まで許容し、かつ前記押動力が除去されたとき前記左側部分を前記基準位置まで復帰動させる位置規制具と、蓋体の右側部分を前記基準位置より下方に押動したとき、この右側部分の下方回動を弾性的に受け止めつつその下方回動を所定範囲まで許容し、かつ前記押動力が除去されたとき前記右側部分を前記基準位置まで復帰動させる位置規制具とを蓋体と枠体との間に設け、両位置規制具は共に枠体に支持されたバネと蓋体の当接部から構成され、基準位置においては左右両側で前記バネが前記当接部に当接しつつ蓋体が保持されるごみ箱（スイング式。例えば、特許文献１参照）がある。また、投入口の側端に側端を枢支した蓋体によりフラップ状に開蓋、閉蓋可能で、蓋体の閉状態を維持しているロック機構を手で解除する動作で開放することにより、力が加わって変形していた軸部にある弾性体が開放されて元に戻ろうとする力で蓋体が開くプッシュオン式（例えば、特許文献２参照）がある。
【特許文献１】特開平９−１２４１０３号公報
【特許文献２】特開平７−４１０２４号公報
【発明の開示】
【発明が解決しようとする課題】
【０００３】
前記従来例の前者の位置規制具を設けたスイング式は、蓋体を下動させた後、位置規制具の弾性力により自動的に基準位置に復帰すると共に、左右両側に位置規制具を備えているため、左右の何れか前方が他方側のダンパーとして働き、下動後の蓋体は安定的にかつ早期に基準状態に収束し、不必要な揺動を抑制することを目的としているが、主としてコイルバネ、板バネ等を含めたバネ等を使用しており、コイルバネ等の弾性限度等を考慮して、基準位置から約９０度付近等までの弾性的許容範囲までしか作用しないという問題がある。また、バネ等を使用しているため、その機械的特性から、揺動が瞬時に抑制されることはなく、顕著な効果をあまり期待できないという問題がある。また、前記蓋体の左側または右側部分を前記基準位置より下方に押動する場合において、バネ等の圧力が小さくないため、手で押動する力の増加する割合が少なくないという問題がある。さらに、長期使用するとバネ定数が低くなったりするバネの「へたり」現象が生じ、安定した効果を得ることが難しくなるという問題がある。本発明は、蓋板を早期に基準状態に収束し、前記問題を解消し、基準位置から３６０度の範囲まで作用可能で、不必要な揺動を短時間に抑制することが可能で、手で押動する力の増加する割合を低減することができ、長期使用しても半永久的に安定した効果を得ることが可能な、スイング式蓋付き容器を提供することを目的とする。
【０００４】
また、前記従来例の前者に限定せず、一般的にスイング式においては、製造時の加工精度等により生じる、蓋体の微少な歪み又は蓋体の微少な寸法誤差等からくる軸部を中心とした荷重の左右のアンバランス、あるいは、軸部、軸受部の表面の平滑性の度合等により、基準位置に復帰動する前に回動している蓋体が途中で停止するという問題が発生する場合がある。軸部に錘を追加することにより該問題を克服している市販の容器もあるが、前記蓋体の左側または右側部分を前記基準位置より下方に押動する場合において、手で押動する力の増加する割合が少なくないという前述した問題が新たに発生している。また、同時に、容器内のゴミ等を取り出す際にて蓋体を持ち上げる場合に蓋体の重さが増加しているため、手に負担がかかるという問題も発生している。本発明は、前記諸問題を解消し、製造時の加工精度等により生じる、基準位置に復帰動する前に回動している蓋体が途中で停止するのを減少させることが可能な、スイング式蓋付き容器を提供することを目的とする。また、不必要な揺動を抑制することで、外観上の不快感の減少、ゴミ等の臭いの周辺への拡散防止が可能な、スイング式蓋付き容器を提供することを目的とする。
【０００５】
前記従来例の後者のプッシュオン式は、蓋体の閉状態を維持しているロック機構を手で解除する動作で開放することにより、力が加わって変形していた軸部にある弾性体が開放されて元に戻ろうとする力で蓋体が開く場合において、容器本体の上縁もしくは取付枠の上縁と衝突し、衝突した反動等で揺動が生じるという問題がある。また、その際、容器本体の上縁もしくは取付枠の上縁と衝突することにより衝突音が発生するという問題がある。本発明は、前記問題を解消し、不必要な揺動を抑制することが可能で、衝突音を低減することが可能な、プッシュオン式蓋付き容器を提供することを目的とする。
【０００６】
また、プッシュオン式蓋付き容器において、該効果を付加しても、開いた蓋体を閉じる時に、蓋体の先端部分を下方に押動する場合において、手で押動する力の増加する割合を少なくすることが可能な、プッシュオン式蓋付き容器を提供することを目的とする。さらに、長期使用しても半永久的に安定した該効果を得ることが可能な、プッシュオン式蓋付き容器を提供することを目的とする。また、不必要な揺動を抑制することで、外観上の不快感の減少が可能な、プッシュオン式蓋付き容器を提供することを目的とする。
【課題を解決するための手段】
【０００７】
本発明によると上記課題は、次のようにして解決される。
（１）上面近傍に開口部を有した容器本体を設け、上記容器本体の上縁近傍の周囲に嵌合した取付枠を設け、上記取付枠に投入口を設け、上記取付枠の中央部にて回動自在に枢設した蓋体を設け、上記蓋体の端部を押圧すると上記蓋体が上記投入口を開放できるようにしたスイング式蓋付き容器において、上記枢設しているところの軸部または上記軸部の周辺の軸周辺部または上記軸部を受ける軸受部または上記軸受部の周辺の軸受周辺部に、上記蓋体と上記取付枠にて、永久磁石とヒステリシス板を面対向して設け、あるいは、上記蓋体と上記取付枠にて、ヒステリシス板と永久磁石を面対向して設け、上記蓋体の上記端部を押圧することにより回動する上記蓋体を制動することを特徴とするスイング式蓋付き容器とする。
【０００８】
（２）上面近傍に開口部を有した容器本体を設け、上記容器本体の上縁近傍の周囲に嵌合した取付枠を設け、上記取付枠に投入口を設け、上記取付枠の中央部にて回動自在に枢設した蓋体を設け、上記蓋体の端部を押圧すると上記蓋体が上記投入口を開放できるようにしたスイング式蓋付き容器において、上記蓋体の中央部に一体的に軸部を配置して上記取付枠の中央部に一体的に軸受部を配置し、あるいは、上記蓋体の中央部に一体的に軸受部を配置して上記取付枠の中央部に一体的に軸部を配置し、上記軸部、上記軸受部で、上記蓋体を枢設し、上記軸部の周辺の軸周辺部または上記軸部に永久磁石を設け、上記軸受部の周辺の軸受周辺部または上記軸受部にヒステリシス板を設け、上記永久磁石と上記ヒステリシス板を面対向して設け、あるいは、上記軸部の周辺の軸周辺部または上記軸部にヒステリシス板を設け、上記軸受部の周辺の軸受周辺部または上記軸受部に永久磁石を設け、上記ヒステリシス板と上記永久磁石を面対向して設け、それとも、上記蓋体の中央部に一体的に第２軸受部を配置し、上記取付枠の中央部に一体的に第３軸受部を配置し、上記蓋体および上記取付枠から独立し設けた独立軸部を設け、上記第２軸受部と上記第３軸受部に上記独立軸部を挿入し、上記第２軸受部、上記第３軸受部、上記独立軸部で、上記蓋体を枢設し、上記第２軸受部の周辺の第２軸受周辺部または上記第２軸受部に永久磁石を設け、上記第３軸受部の周辺の第３軸受周辺部または上記第３軸受部にヒステリシス板を設け、上記永久磁石と上記ヒステリシス板を面対向して設け、あるいは、上記第２軸受部の周辺の第２軸受周辺部または上記第２軸受部にヒステリシス板を設け、上記第３軸受部の周辺の第３軸受周辺部または上記第３軸受部に永久磁石を設け、上記ヒステリシス板と上記永久磁石を面対向して設け、上記蓋体の上記端部を押圧することにより回動する上記蓋体を制動することを特徴とするスイング式蓋付き容器とする。
【０００９】
（３）上面近傍に開口部を有した容器本体を設け、この容器本体の上縁近傍の周囲に嵌合した取付枠を設け、この取付枠に投入口を設け、開き方向に付勢するバネを介して此の取付枠に蓋体を枢設し、開き方向に付勢する此の蓋体を掛止する揺動自在な掛止部材をこの取付枠の一端に設け、この掛止部材を押圧すると此の蓋体が此の投入口を開放できるようにしたプッシュオン式蓋付き容器において、この枢設しているところの軸部または此の軸部の周辺の軸周辺部または此の軸部を受ける軸受部または此の軸受部の周辺の軸受周辺部に、この蓋体と此の取付枠にて、永久磁石とヒステリシス板を面対向して設け、あるいは、この蓋体と此の取付枠にて、ヒステリシス板と永久磁石を面対向して設け、この掛止部材を押圧することにより閉じている此の蓋体が開放し、回転する此の蓋体を制動することを特徴とするプッシュオン式蓋付き容器とする。
【００１０】
（４）上面近傍に開口部を有した容器本体を設け、この容器本体の上縁近傍の周囲に嵌合した取付枠を設け、この取付枠に投入口を設け、開き方向に付勢するバネを介して此の取付枠に蓋体を枢設し、開き方向に付勢する此の蓋体を掛止する揺動自在な掛止部材をこの取付枠の一端に設け、この掛止部材を押圧すると此の蓋体が此の投入口を開放できるようにしたプッシュオン式蓋付き容器において、この蓋体に一体的に軸部を配置して此の取付枠に一体的に軸受部を配置し、あるいは、この蓋体に一体的に軸受部を配置して此の取付枠に一体的に軸部を配置し、この軸部、この軸受部で、この蓋体を枢設し、この軸部の周辺の軸周辺部または此の軸部に永久磁石を設け、この軸受部の周辺の軸受周辺部または此の軸受部にヒステリシス板を設け、この永久磁石と此のヒステリシス板を面対向して設け、あるいは、この軸部の周辺の軸周辺部または此の軸部にヒステリシス板を設け、この軸受部の周辺の軸受周辺部または此の軸受部に永久磁石を設け、このヒステリシス板と此の永久磁石を面対向して設け、それとも、この蓋体に一体的に第２軸受部を配置し、この取付枠に一体的に第３軸受部を配置し、この蓋体および此の取付枠から独立し設けた独立軸部を設け、この第２軸受部と此の第３軸受部に此の独立軸部を挿入し、この第２軸受部、この第３軸受部、この独立軸部で、この蓋体を枢設し、この第２軸受部の周辺の第２軸受周辺部または此の第２軸受部に永久磁石を設け、この第３軸受部の周辺の第３軸受周辺部または此の第３軸受部にヒステリシス板を設け、この永久磁石と此のヒステリシス板を面対向して設け、あるいは、この第２軸受部の周辺の第２軸受周辺部または此の第２軸受部にヒステリシス板を設け、この第３軸受部の周辺の第３軸受周辺部または此の第３軸受部に永久磁石を設け、このヒステリシス板と此の永久磁石を面対向して設け、この掛止部材を押圧することにより閉じている此の蓋体が開放し、回転する此の蓋体を制動することを特徴とするプッシュオン式蓋付き容器とする。
【００１１】
（５）上記（１）〜（２）項に記載のスイング式蓋付き容器、上記（３）〜（４）項に記載のプッシュオン式蓋付き容器において、ヒステリシス板、に代えて、永久磁石、にしたことを特徴とする蓋付き容器とする。
【発明の効果】
【００１２】
本発明によれば、次のような効果を奏する。
（１）本発明の請求項１〜２記載の発明によれば、不必要な揺動を短い時間で抑制することが可能となり、一連の揺動がほとんど発生することなく、元のつり合う位置に蓋体を戻すことができる。また、元のつり合う位置に上記蓋体が確実に復帰するので、製造時の加工精度等により生じる、つり合う位置である基準の位置に復帰する前に回動している蓋体が途中で停止するのを減少させることが可能である。また、不必要な揺動を抑制することで、外観上の不快感の減少、ゴミ等の臭いの周辺への拡散防止が可能である。また、上記の一連の効果を有するのにもかかわらず、蓋体が回転、回動するのにおいて、障害となる条件がないので、つり合う位置である基準の位置から３６０度の範囲まで作用可能である。また、同様に、上記の一連の効果を有するのにもかかわらず、発生する磁力を小さくすることができるので、蓋体を手等で押圧する場合の手等への負担増が小さくて済む。また、同様に、上記の一連の効果を有するのにもかかわらず、上記永久磁石に比較して軽量の上記ヒステリシス板を片側に設けるので、上記永久磁石と上記永久磁石を、面対向して設ける場合に比べて、蓋体を手等で押圧する場合の手等への負担増が少なくて済む。また、同様に、上記の一連の効果を有するのにもかかわらず、機械的損失等が少なく長期使用しても安定した効果を半永久的に持続することが可能である。また、同様に、上記の一連の効果を有するのにもかかわらず、加工が容易で、使用する材料も少なくて済むので低コストで製造できる。
【００１３】
（２）本発明の請求項３〜４記載の発明によれば、不必要な揺動を短い時間で抑制することが可能となり、一連の揺動の発生を低減することができる。また、この取付枠に此の蓋体が衝突することにより発生する衝突音を低減することができる。また、不必要な揺動を抑制することで、外観上の不快感の減少が可能である。また、同様に、上記の一連の効果を有するのにもかかわらず、発生する磁力を小さくすることができるので、この蓋体を閉じるために手等で押圧する場合の手等への負担増が小さくて済む。また、同様に、上記の一連の効果を有するのにもかかわらず、上記永久磁石に比較して軽量の上記ヒステリシス板を片側に設けるので、上記永久磁石と上記永久磁石を、面対向して設ける場合に比べて、蓋体を手等で押圧する場合の手等への負担増が少なくて済む。また、同様に、上記の一連の効果を有するのにもかかわらず、機械的損失等が少なく長期使用しても安定した効果を半永久的に持続することが可能である。また、同様に、上記の一連の効果を有するのにもかかわらず、加工が容易で、使用する材料も少なくて済むので低コストで製造できる。
【００１４】
（３）本発明の請求項５記載の発明によれば、スイング式蓋付き容器においては、不必要な揺動を短い時間で抑制することが可能となり、一連の揺動がほとんど発生することなく、元のつり合う位置に蓋体を戻すことができる。また、元のつり合う位置に上記蓋体が確実に復帰するので、製造時の加工精度等により生じる、つり合う位置である基準の位置に復帰する前に回動している蓋体が途中で停止するのを減少させることが可能である。また、不必要な揺動を抑制することで、外観上の不快感の減少、ゴミ等の臭いの周辺への拡散防止が可能である。また、上記の一連の効果を有するのにもかかわらず、蓋体が回転、回動するのにおいて、障害となる条件がないので、つり合う位置である基準の位置から３６０度の範囲まで作用可能である。また、同様に、上記の一連の効果を有するのにもかかわらず、発生する磁力を小さくすることができるので、蓋体を手等で押圧する場合の手等への負担増が小さくて済む。また、同様に、上記の一連の効果を有するのにもかかわらず、機械的損失等が少なく長期使用しても安定した効果を半永久的に持続することが可能である。また、同様に、上記の一連の効果を有するのにもかかわらず、加工が容易で、使用する材料も少なくて済むので低コストで製造できる。また、本発明の請求項５記載の発明によれば、プッシュオン式蓋付き容器においては、不必要な揺動を短い時間で抑制することが可能となり、一連の揺動の発生を低減することができる。また、この取付枠に此の蓋体が衝突することにより発生する衝突音を低減することができる。また、不必要な揺動を抑制することで、外観上の不快感の減少が可能である。また、同様に、上記の一連の効果を有するのにもかかわらず、発生する磁力を小さくすることができるので、この蓋体を閉じるために手等で押圧する場合の手等への負担増が小さくて済む。また、同様に、上記の一連の効果を有するのにもかかわらず、機械的損失等が少なく長期使用しても安定した効果を半永久的に持続することが可能である。また、同様に、上記の一連の効果を有するのにもかかわらず、加工が容易で、使用する材料も少なくて済むので低コストで製造できる。
【発明を実施するための最良の形態】
【００１５】
以下に、添付図面に基づいて本発明の実施の形態について詳細に説明するが、本発明の範囲は、以下に説明される実施の形態に限定されるものではない。本発明の一実施形態である、スイング式蓋付き容器（９）について記す。スイング式蓋付き容器（９）は、図１〜図４、図１６にて、上面近傍に開口部（１）を有した容器本体（２）を設けてある。上記容器本体（２）の上縁（３）近傍の周囲に嵌合した取付枠（４）を設けてある。上記取付枠（４）に投入口（５）を設けてある。上記取付枠（４）の中央部（６）にて回動自在に枢設した蓋体（７）を設けてある。上記蓋体（７）の端部（８）を押圧すると上記蓋体（７）が上記投入口（５）を開放できるようにしたスイング式蓋付き容器（９）である。上記蓋体（７）の中央部（１０）に一体的に軸部（１１）を配置してある。上記取付枠（４）の中央部（６）に一体的に軸受部（１２）を配置してある。上記軸部（１１）、上記軸受部（１２）で、上記蓋体（７）を枢設してある。上記軸部（１１）に永久磁石（１５）を設け、上記軸受部（１２）の周辺の軸受周辺部（１４）にヒステリシス板（１６）を設け、上記永久磁石（１５）と上記ヒステリシス板（１６）を面対向して設けてある。上記蓋体（７）の上記端部（８）を押圧することにより回動する上記蓋体（７）を制動することを特徴とするスイング式蓋付き容器（９）である。
【００１６】
また、スイング式蓋付き容器（９）において、加工、取付方法について、次のようにしてある。上記蓋体（７）の中央部（１０）に一体的に軸部（１１）を配置してある、について記す。図１〜図３、図１６にて、上記蓋体（７）の中央部（１０）に軸部（１１）を配置してある。軸部（１１）は、軸（６４）と抜け止め（６５）より設けられる。合成樹脂により上記蓋体（７）と軸（６４）を成型加工してある。また、上記取付枠（４）の中央部（６）に一体的に軸受部（１２）を配置してある、について記す。上記取付枠（４）の中央部（６）に軸受部（１２）を配置してある。合成樹脂により上記取付枠（４）と軸受部（１２）を成型加工してある。軸受部（１２）に上記軸部（１１）を挿入してある。挿入した軸（６４）の端部を弾性的に係止する合成樹脂の抜け止め（６５）を挿入してある。また、上記軸部（１１）に永久磁石（１５）を設け、上記軸受部（１２）の周辺の軸受周辺部（１４）にヒステリシス板（１６）を設け、上記永久磁石（１５）と上記ヒステリシス板（１６）を面対向して設けてある、について記す。抜け止め（６５）の凹部（５８）に上記永久磁石（１５）を取り付けてある。軸受周辺部（１４）の凹部（５４）に上記ヒステリシス板（１６）を取り付けてある。
【００１７】
また、特に図示しないが、スイング式蓋付き容器（９）において、次のようにしてもよい。抜け止め（６５）の凹部（５８）に上記永久磁石（１５）を取り付け、上記軸受周辺部（１４）の凹部（５４）に上記ヒステリシス板（１６）を取り付け、について、粘着剤、両面テープ等で取り付けてもよい。また、ビス等で取り付けてもよい。あるいは、合成樹脂等で製作した凹部（５４）（５８）の弾力性等を利用して係合または係止させてもよい。
【００１８】
次に、本発明の一実施形態である、スイング式蓋付き容器（９）の作用について説明する。スイング式蓋付き容器（９）において、図１６にて、上記蓋体（７）の上記端部（８）を手等で押圧していない状態では、実線で記したように、バランスがつり合っていて、つり合う位置で上記蓋体（７）は静止している。例えば、上記蓋体（７）の左側の上記端部（８）を開き方向（下方向）（矢印Ｄ）へ手等で押圧すると、一点鎖線で記したように、上記蓋体（７Ａ）は開き方向（下方向）（矢印Ｄ）へ回転する。その後、上記蓋体（７Ａ）の上記端部から手等を外して押圧により加えている力を取り除くと、つり合おうとするために実線で記したつり合う位置へ戻ろうと上記蓋体は開き方向（上方向）（矢印Ｕ）に回転する。しかし、回転し過ぎて、上記蓋体は、つり合う位置を超え、その後、回転する力を消耗すると、また、つり合う位置へ戻ろうと上記蓋体は開き方向（下方向）（矢印Ｄ）に回転する、という一連の揺動を当初の、つり合う位置に到達するまで繰り返そうとする。しかし、その際、図１にて、上記永久磁石（１５）と上記ヒステリシス板（１６）の間に作用する磁力によって、上記一連の揺動を制動する。つまり、不必要な揺動を短い時間で抑制することが可能となり、例えば、つり合って静止しているつり合う位置にある上記蓋体（７）の左側の上記端部（８）を開き方向（下方向）（矢印Ｄ）へ手等で押圧しても、一連の揺動がほとんど発生することなく、元のつり合う位置に上記蓋体（７）を戻すことができる。また、上記蓋体が回転、回動するのにおいて、障害となる条件が何もないので、つり合う位置である基準の位置から３６０度の範囲まで作用可能である。また、例えば、つり合って静止しているつり合う位置にある上記蓋体（７）の左側の上記端部（８）を開き方向（下方向）（矢印Ｄ）へ手等で押圧する場合において、上記永久磁石（１５）と上記ヒステリシス板（１６）の間に作用する磁力を小さくすることができるので、手等で押圧する力の増加する割合が少なくて済み、つまり、手等で押圧する場合の手等への負担増が少なくて済む。さらに、磁力を利用していることから、機械的な動作による摩擦等が少ないので消耗等の機械的損失等が少なく長期使用しても安定した効果を半永久的に持続することが可能である。また、一般的にスイング式の蓋付き容器においては、製造時の加工精度等により生じる、蓋体の微少な歪み又は蓋体の微少な寸法誤差等からくる軸部を中心とした荷重の左右のアンバランス、あるいは、軸部、軸受部の表面の平滑性の度合等により、つり合う位置である基準の位置に復帰する前に回動している蓋体が途中で停止するという問題が発生する場合がある。生じる磁力によって、元のつり合う位置に上記蓋体が確実に復帰するので、前記問題を解消し、製造時の加工精度等により生じる、つり合う位置である基準の位置に復帰する前に回動している蓋体が途中で停止するのを減少させることが可能である。また、加工が容易で、使用する材料も少なくて済むので低コストで製造できる。また、不必要な揺動を抑制することで、外観上の不快感の減少、ゴミ等の臭いの周辺への拡散防止が可能である。また、上記永久磁石に比較して軽量の上記ヒステリシス板を片側に設けるので、上記永久磁石と上記永久磁石を、面対向して設ける場合に比べて、例えば、つり合って静止しているつり合う位置にある上記蓋体（７）の左側の上記端部を開き方向（下方向）（矢印Ｄ）へ手等で押圧する場合において、手等で押圧する力の増加する割合が少なくて済み、つまり、手等で押圧する場合の手等への負担増が少なくて済む。
【００１９】
また、本発明の一実施形態である、スイング式蓋付き容器（９）において、永久磁石（１５）、に代えて、ヒステリシス板（３０）、として、ヒステリシス板（１６）、に代えて、永久磁石（５２）、としたスイング式蓋付き容器（９Ｋ）としてもよい。つまり、スイング式蓋付き容器（９）において、上記軸部（１１）永久磁石（１５）を設け、上記軸受部（１２）の周辺の軸受周辺部（１４）にヒステリシス板（１６）を設け、上記永久磁石（１５）と上記ヒステリシス板（１６）を面対向して、に代えて、上記軸部（１１）にヒステリシス板（３０）を設け、上記軸受部（１２）の周辺の軸受周辺部（１４）に永久磁石（５２）を設け、上記ヒステリシス板（３０）と上記永久磁石（５２）を面対向して、としたスイング式蓋付き容器（９Ｋ）としてもよい。本発明の他の一実施形態である、スイング式蓋付き容器（９Ｋ）にて、ヒステリシス板と永久磁石の配置と作用について説明する。図２２は、スイング式蓋付き容器（９Ｋ）における、ヒステリシス板と永久磁石の取付箇所の正面図で、図２２の左上段（ａ）に、蓋体側のヒステリシス板（３０）を単体で描き、図２２の左下段（ｂ）に、取付枠側の永久磁石（５２）を単体で描き、図２２の中央左（ｃ）に、永久磁石（５２）とヒステリシス板（３０）を、上記投入口を閉じた上記蓋体の位置にて、対向した状態を描き、図２２の中央右（ｄ）に、（ｃ）の同状態から開き方向（矢印Ｐ５）に回転させた状態を描き、図２２の右（ｅ）に、さらに、（ｄ）の同状態から閉じ方向（矢印Ｔ５）に回転させた状態を描いてある。スイング式蓋付き容器（９Ｋ）において、図２２にて、ヒステリシス板（３０）を設けていない部分（５３）の面積は、永久磁石（５２）の面積より大きくしてある。上記投入口を上記蓋体が開いている時間より閉じている時間は通常は長く、また、図２２（ｃ）にて、上記投入口を閉じた上記蓋体の位置にて永久磁石（５２）とヒステリシス板（３０）は面対向していないが近接しているので、上記投入口を閉じた上記蓋体の位置にて面対向しているヒステリシス板と永久磁石の間に作用する磁力に近い状態となっている。図２２（ｄ）にて、上記投入口を開くため、上記蓋体を手等で押圧して開き方向（矢印Ｐ５）に回転させると、永久磁石（５２）が開き方向（矢印Ｐ５）に回転する。しかし、図２２（ｅ）にて、永久磁石（５２）とヒステリシス板（３０）の間に作用する磁力により、閉じ方向（矢印Ｔ５）に戻る。この場合、上記投入口を閉じた上記蓋体の位置にて永久磁石（５２）とヒステリシス板（３０）は面対向していないが、上記投入口を開いた上記蓋体の位置にて永久磁石（５２）とヒステリシス板（３０）は面対向している。
【００２０】
次に本発明の他の一実施形態である、スイング式蓋付き容器（９ａ）について記す。スイング式蓋付き容器（９ａ）は、スイング式蓋付き容器（９）を次のようにしてある。スイング式蓋付き容器（９ａ）は、スイング式蓋付き容器（９）において、上記軸受部（１２）の周辺の軸受周辺部（１４）にヒステリシス板（１６）を設け、に代えて、上記軸受部（１２ａ）にヒステリシス板（１６ａ）を設け、としてある。つまり、スイング式蓋付き容器（９ａ）は、スイング式蓋付き容器（９）において、図５にて、上記軸部（１１ａ）に永久磁石（１５ａ）を設け、上記軸受部（１２ａ）にヒステリシス板（１６ａ）を設け、上記永久磁石（１５ａ）と上記ヒステリシス板（１６ａ）を面対向して設けてある。
【００２１】
次に本発明の他の一実施形態である、スイング式蓋付き容器（９ｂ）について記す。スイング式蓋付き容器（９ｂ）は、スイング式蓋付き容器（９）と同じように次のようにしてある。スイング式蓋付き容器（９ｂ）は、スイング式蓋付き容器（９）において、図８にて、上記軸部（１１ｂ）に永久磁石（１５ｂ）を設け、上記軸受部（１２ｂ）の周辺の軸受周辺部（１４ｂ）にヒステリシス板（１６ｂ）を設け、上記永久磁石（１５ｂ）と上記ヒステリシス板（１６ｂ）を面対向して設けてある。
【００２２】
次に本発明の他の一実施形態である、スイング式蓋付き容器（９ｃ）について記す。スイング式蓋付き容器（９ｃ）は、スイング式蓋付き容器（９）と同じように次のようにしてある。スイング式蓋付き容器（９ｃ）は、スイング式蓋付き容器（９）において、図９にて、上記軸部（１１ｃ）に永久磁石（１５ｃ）を設け、上記軸受部（１２ｃ）の周辺の軸受周辺部（１４ｃ）にヒステリシス板（１６ｃ）を設け、上記永久磁石（１５ｃ）と上記ヒステリシス板（１６ｃ）を面対向して設けてある。
【００２３】
次に本発明の他の一実施形態である、スイング式蓋付き容器（９ｄ）について記す。スイング式蓋付き容器（９ｄ）は、スイング式蓋付き容器（９）を次のようにしてある。スイング式蓋付き容器（９ｄ）は、スイング式蓋付き容器（９）において、上記軸部（１１）に永久磁石（１５）を設け、上記軸受部（１２）の周辺の軸受周辺部（１４）にヒステリシス板（１６）を設け、に代えて、上記軸部（１１ｄ）の周辺の軸周辺部（１３ｄ）に永久磁石（１５ｄ）を設け、上記軸受部（１２ｄ）にヒステリシス板（１６ｄ）を設け、としてある。つまり、スイング式蓋付き容器（９ａ）は、スイング式蓋付き容器（９）において、図６にて、上記軸部（１１ｄ）の周辺の軸周辺部（１３ｄ）に永久磁石（１５ｄ）を設け、上記軸受部（１２ｄ）にヒステリシス板（１６ｄ）を設け、上記永久磁石（１５ｄ）と上記ヒステリシス板（１６ｄ）を面対向して設けてある。
【００２４】
また、特に図示しないが、スイング式蓋付き容器（９ｄ）を次のようにしてもよい。上記軸部（１１ｄ）の周辺の軸周辺部（１３ｄ）に永久磁石（１５ｄ）を設け、上記軸受部（１２ｄ）にヒステリシス板（１６ｄ）を設け、永久磁石（１５ｄ）とヒステリシス板（１６ｄ）を面対向して設け、に代えて、上記軸部（１１ｄ）の周辺の軸周辺部（１３ｄ）にヒステリシス板を設け、上記軸受部（１２ｄ）に永久磁石を設け、上記ヒステリシス板と上記永久磁石を面対向して設け、としてもよい。
【００２５】
また、特に図示しないが、スイング式蓋付き容器にて、次のようにしてもよい。上記軸部の周辺の軸周辺部または上記軸部にヒステリシス板を設け、上記軸受部の周辺の軸受周辺部または上記軸受部に永久磁石を設け、上記ヒステリシス板と上記永久磁石を面対向して設け、としてもよい。上記永久磁石に比較して軽量の上記ヒステリシス板を上記蓋体側に設けるので、上記永久磁石を上記蓋体側に設ける場合に比べて、例えば、つり合って静止しているつり合う位置にある上記蓋体の上記端部を下方向へ手等で押圧する場合において、手等で押圧する力の増加する割合が少なくて済み、つまり、手等で押圧する場合の手等への負担増が少なくて済む。
【００２６】
また、特に図示しないが、スイング式蓋付き容器にて、次のようにしてもよい。上記蓋体の中央部に一体的に軸部を配置して上記取付枠の中央部に一体的に軸受部を配置し、に代えて、上記蓋体の中央部に一体的に軸受部を配置して上記取付枠の中央部に一体的に軸部を配置し、としてもよい。
【００２７】
次に本発明の他の一実施形態である、スイング式蓋付き容器（９ｅ）について記す。スイング式蓋付き容器（９ｅ）は、スイング式蓋付き容器（９）を次のようにしてある。スイング式蓋付き容器（９ｅ）は、スイング式蓋付き容器（９）において、上記蓋体（７）の中央部（１０）に一体的に軸部（１１）を配置して上記取付枠（４）の中央部（６）に一体的に軸受部（１２）を配置し、上記軸部（１１）、上記軸受部（１２）で、上記蓋体（７）を枢設し、上記軸部（１１）に永久磁石（１５）を設け、上記軸受部（１２）の周辺の軸受周辺部（１４）にヒステリシス板（１６）を設け、上記永久磁石（１５）と上記ヒステリシス板（１６）を面対向して設け、に代えて、図７、図１６にて、上記蓋体（７）の中央部（１０）に一体的に第２軸受部（１７）を配置し、上記取付枠（４）の中央部（６）に一体的に第３軸受部（１８）を配置し、上記蓋体（７）および上記取付枠（４）から独立し設けた独立軸部（１９）を設け、上記第２軸受部（１７）と上記第３軸受部（１８）に上記独立軸部（１９）を挿入し、上記第２軸受部（１７）、上記第３軸受部（１８）、上記独立軸部（１９）で、上記蓋体（７）を枢設し、上記第２軸受部（１７）にヒステリシス板（１６ｅ）を設け、上記第３軸受部（１８）に永久磁石（１５ｅ）を設け、上記ヒステリシス板（１６ｅ）と上記永久磁石（１５ｅ）を面対向して設け、としてある。つまり、スイング式蓋付き容器（９ｅ）は、図７、図１６にて、上記蓋体（７）の中央部（１０）に一体的に第２軸受部（１７）を配置してある。上記取付枠（４）の中央部（６）に一体的に第３軸受部（１８）を配置してある。上記蓋体（７）および上記取付枠（４）から独立し設けた独立軸部（１９）を設けてある。上記第２軸受部（１７）と上記第３軸受部（１８）に上記独立軸部（１９）を挿入してある。上記第２軸受部（１７）、上記第３軸受部（１８）、上記独立軸部（１９）で、上記蓋体（７）を枢設してある。上記第２軸受部（１７）にヒステリシス板（１６ｅ）を設け、上記第３軸受部（１８）に永久磁石（１５ｅ）を設け、上記ヒステリシス板（１６ｅ）と上記永久磁石（１５ｅ）を面対向して設けてある。
【００２８】
また、特に図示しないが、スイング式蓋付き容器（９ｅ）を次のようにしてもよい。上記第２軸受部（１７）の周辺の第２軸受周辺部に永久磁石を設け、上記第３軸受部（１８）の周辺の第３軸受周辺部にヒステリシス板を設け、上記永久磁石と上記ヒステリシス板を面対向して設けてもよい。
【００２９】
また、スイング式蓋付き容器（９ｅ）において、加工、取付方法について、次のようにしてある。上記蓋体（７）の中央部（１０）に一体的に第２軸受部（１７）を配置してある、について記す。上記蓋体（７）の中央部（１０）に第２軸受部（１７）を配置してある。合成樹脂により上記蓋体（７）と第２軸受部（１７）を成型加工してある。上記取付枠（４）の中央部（６）に一体的に第３軸受部（１８）を配置してある、について記す。上記取付枠（４）の中央部（６）に第３軸受部（１８）を配置してある。合成樹脂により上記取付枠（４）と第３軸受部（１８）を成型加工してある。上記独立軸部（１９）は、軸（６４ｅ）と抜け止め（６５ｅ）より設けられる。挿入した軸（６４ｅ）の端部を弾性的に係止する合成樹脂の抜け止め（６５ｅ）を挿入してある。また、上記第２軸受部（１７）にヒステリシス板（１６ｅ）を設け、上記第３軸受部（１８）に永久磁石（１５ｅ）を設け、上記ヒステリシス板（１６ｅ）と上記永久磁石（１５ｅ）を面対向して設けてある、について記す。上記第２軸受部（１７）の凹部に上記ヒステリシス板（１６ｅ）を取り付けてある。上記第３軸受部（１８）の凹部に上記永久磁石（１５ｅ）を取り付けてある。
【００３０】
また、特に図示しないが、スイング式蓋付き容器（９ｅ）を次のようにしてもよい。上記第２軸受部（１７）にヒステリシス板（１６ｅ）を設け、上記第３軸受部（１８）に永久磁石（１５ｅ）を設け、上記ヒステリシス板（１６ｅ）と上記永久磁石（１５ｅ）を面対向して設け、に代えて、上記第２軸受部（１７）に永久磁石を設け、上記第３軸受部（１８）にヒステリシス板を設け、上記永久磁石と上記ヒステリシス板を面対向して設けてもよい。
【００３１】
また、以上をまとめると、次のように記すこともできる。本発明の一実施形態である、スイング式蓋付き容器は、上記蓋体の中央部に一体的に軸部を配置して上記取付枠の中央部に一体的に軸受部を配置してある。あるいは、上記蓋体の中央部に一体的に軸受部を配置して上記取付枠の中央部に一体的に軸部を配置してある。上記軸部、上記軸受部で、上記蓋体を枢設してある。また、次のように記すこともできる。本発明の一実施形態である、スイング式蓋付き容器は、上記軸部の周辺の軸周辺部または上記軸部に永久磁石を設け、上記軸受部の周辺の軸受周辺部または上記軸受部にヒステリシス板を設け、上記永久磁石と上記ヒステリシス板を面対向して設けてある。あるいは、上記軸部の周辺の軸周辺部または上記軸部にヒステリシス板を設け、上記軸受部の周辺の軸受周辺部または上記軸受部に永久磁石を設け、上記ヒステリシス板と上記永久磁石を面対向して設けてある。また、次のように記すこともできる。本発明の一実施形態である、スイング式蓋付き容器は、上記蓋体の中央部に一体的に第２軸受部を配置してある。上記取付枠の中央部に一体的に第３軸受部を配置してある。上記蓋体および上記取付枠から独立し設けた独立軸部を設けてある。上記第２軸受部と上記第３軸受部に上記独立軸部を挿入してある。上記第２軸受部、上記第３軸受部、上記独立軸部で、上記蓋体を枢設してある。また、次のように記すこともできる。本発明の一実施形態である、スイング式蓋付き容器は、上記第２軸受部にヒステリシス板を設け、上記第３軸受部に永久磁石を設け、上記ヒステリシス板と上記永久磁石を面対向して設けてある。あるいは、上記第２軸受部に永久磁石を設け、上記第３軸受部にヒステリシス板を設け、上記永久磁石と上記ヒステリシス板を面対向して設けてある。
【００３２】
また、次のように記すこともできる。本発明の一実施形態である、スイング式蓋付き容器は、上記枢設しているところの軸部または上記軸部の周辺の軸周辺部または上記軸部を受ける軸受部または上記軸受部の周辺の軸受周辺部に、上記蓋体と上記取付枠にて、永久磁石とヒステリシス板を面対向して設けてある。あるいは、上記枢設しているところの軸部または上記軸部の周辺の軸周辺部または上記軸部を受ける軸受部または上記軸受部の周辺の軸受周辺部に、上記蓋体と上記取付枠にて、ヒステリシス板と永久磁石を面対向して設けてある。
【００３３】
また、次のように記すこともできる。本発明の一実施形態である、スイング式蓋付き容器は、上記枢設している軸部または上記軸部の周辺の軸周辺部または上記軸部を受ける軸受部または上記軸受部の周辺の軸受周辺部に、上記蓋体と上記取付枠にて、永久磁石とヒステリシス板を面対向して設けてある。あるいは、上記枢設している軸部または上記軸部の周辺の軸周辺部または上記軸部を受ける軸受部または上記軸受部の周辺の軸受周辺部に、上記蓋体と上記取付枠にて、ヒステリシス板と永久磁石を面対向して設けてある。
【００３４】
また、特に図示しないが、スイング式蓋付き容器を次のようにしてもよい。上記投入口を閉じた上記蓋体の位置にて、永久磁石とヒステリシス板を面対向して設け、または、ヒステリシス板と永久磁石を面対向して設け、としてもよい。また、スイング式蓋付き容器を次のようにしてもよい。上記投入口を閉じた上記蓋体の全閉の位置にて、永久磁石とヒステリシス板を面対向して設け、または、ヒステリシス板と永久磁石を面対向して設け、としてもよい。また、スイング式蓋付き容器を次のようにしてもよい。上記投入口を開いた上記蓋体の位置にて、永久磁石とヒステリシス板を面対向して設け、または、ヒステリシス板と永久磁石を面対向して設け、としてもよい。
【００３５】
次に、本発明の一実施形態である、プッシュオン式蓋付き容器（３９）について記す。プッシュオン式蓋付き容器（３９）は、図１０、図１７にて、上面近傍に開口部（３１）を有した容器本体（３２）を設けてある。この容器本体（３２）の上縁（３３）近傍の周囲に嵌合した取付枠（３４）を設けてある。この取付枠（３４）に投入口（３５）を設けてある。開き方向（矢印Ｐ）に付勢するバネ（２３）を介して此の取付枠（３４）に蓋体（３７）を枢設してある。開き方向（矢印Ｐ）に付勢する此の蓋体（３７）を掛止する揺動自在な掛止部材（２２）をこの取付枠（３４）の一端（６１）に設けてある。この掛止部材（２２）を押圧すると此の蓋体（３７）が此の投入口（３５）を開放できるようにしたプッシュオン蓋付き容器（３９）である。この蓋体（３７）に一体的に軸部（４１）を配置して此の取付枠（３４）に一体的に軸受部（４２）を配置してある。この軸部（４１）、この軸受部（４２）で、この蓋体（３７）を枢設してある。この軸部（４１）に永久磁石（４５）を設け、この軸受部（４２）の周辺の軸受周辺部（４４）にヒステリシス板（４６）を設け、この永久磁石（４５）と此のヒステリシス板（４６）を面対向して設けてある。この掛止部材（２２）を押圧することにより閉じている此の蓋体（３７）が開放し回転する此の蓋体（３７）を制動することを特徴とするプッシュオン式蓋付き容器（３９）である。
【００３６】
また、プッシュオン式蓋付き容器（３９）において、加工、取付方法について、次のようにしてある。この蓋体（３７）に一体的に軸部（４１）を配置してある、について記す。図１０、図１７にて、この蓋体（３７）に軸部（４１）を配置してある。軸部（４１）は、軸（６６）と抜け止め（６７）より設けられる。合成樹脂により此の蓋体（３７）と軸（６６）を成型加工してある。また、此の取付枠（３４）に一体的に軸受部（４２）を配置してある、について記す。此の取付枠（３４）に軸受部（４２）を配置してある。合成樹脂により此の取付枠（３４）と軸受部（４２）を成型加工してある。軸受部（４２）に此の軸部（４１）を挿入してある。挿入した軸（６６）の端部を弾性的に係止する合成樹脂の抜け止め（６７）を挿入してある。また、この軸部（４１）に永久磁石（４５）を設け、この軸受部（４２）の周辺の軸受周辺部（４４）にヒステリシス板（４６）を設け、この永久磁石（４５）と此のヒステリシス板（４６）を面対向して設けてある、について記す。抜け止め（６７）の凹部に此の永久磁石（４５）を取り付けてある。軸受周辺部（４４）の凹部に此のヒステリシス板（４６）を取り付けてある。また、特に図示しないが、プッシュオン式蓋付き容器（３９）において、次のようにしてもよい。抜け止め（６７）の凹部に此の永久磁石（４５）を取り付け、この軸受周辺部（４４）の凹部に上記ヒステリシス板（４６）を取り付け、について、粘着剤、両面テープ等で取り付けてもよい。また、ビス等で取り付けてもよい。あるいは、合成樹脂等で製作した凹部の弾力性等を利用して係合または係止させてもよい。なお、投入口が開くために、つまり、投入口が開放するために、蓋体が回転する方向を、該開き方向（矢印Ｐ）としてある。また、該開き方向（矢印Ｐ）に付勢するバネは、ねじりコイルばね、としてある。また、特に図示しないが、該開き方向（矢印Ｐ）に付勢するバネは、板ばね、合成樹脂等のバネであってもよい。
【００３７】
また、プッシュオン式蓋付き容器（３９）を次のように記すこともできる。図１７にて、開き方向（矢印Ｐ）に付勢するバネ（２３）を介して此の取付枠（３４）の側端（６２）に蓋体（３７）を枢設してある。開き方向（矢印Ｐ）に付勢する此の蓋体（３７）を掛止する揺動自在な掛止部材（２２）をこの取付枠（３４）の他の側端（６３）に設けてある。
【００３８】
次に、本発明の一実施形態である、プッシュオン式蓋付き容器（３９）の作用について説明する。プッシュオン式蓋付き容器（３９）は、図１７にて、この開き方向（Ｐ）に付勢する此のバネ（２３）を介した此の蓋体（３７）をこの掛止部材（２２）によって掛止している状態で、実線で記したように、この蓋体（３７）は閉じたままとなっている。図１０、図１７にて、この掛止部材（２２）を下方向（矢印Ｄ１）へ手等で押圧すると、この掛止部材（２２）によって掛止していた此の蓋体（３７）が開放し、力が加わって変形していた此のバネ（２３）が開放されて元に戻ろうとする力で、この蓋体（３７）は此の開き方向（矢印Ｐ）へ回転する。一点鎖線で記したように、開いた此の蓋体（３７Ａ）は此の取付枠（３４）の上縁近傍に衝突し、衝突した反動等で揺動が生じる。その際、この永久磁石（４５）と此のヒステリシス板（４６）の間に作用する磁力によって、一連の揺動を制動する。つまり、この掛止部材（２２）を下方向（矢印Ｄ１）へ手等で押圧して、掛止していた此の蓋体（３７）が閉じた状態から開放する際に発生する一連の揺動を短い時間で抑制することができ、一連の揺動の発生を低減することができる。さらに、この蓋体（３７Ａ）が取付枠（３４）の上縁近傍に衝突することにより発生する衝突音を低減することができる。また、開いた此の蓋体（３７Ａ）を閉じるため、この蓋体（３７Ａ）の此の端部（３８）を閉じ方向（矢印Ｓ）へ手等で押圧する場合において、この永久磁石（４５）と此のヒステリシス板（４６）の間に作用する磁力を小さくすることができるので、手等で押圧する力の増加する割合が少なくて済み、つまり、手等で押圧する場合の手等への負担増が少なくて済む。さらに、磁力を利用していることから、機械的な動作による摩擦等が少ないので消耗等の機械的損失等が少なく長期使用しても安定した効果を半永久的に持続することが可能である。また、加工が容易で、使用する材料も少なくて済むので低コストで製造できる。また、不必要な揺動を抑制することで、外観上の不快感の減少が可能である。また、この永久磁石に比較して軽量の此のヒステリシス板を片側に設けるので、永久磁石と永久磁石を、面対向して設ける場合に比べて、この蓋体（３７Ａ）の此の端部（３８）を閉じ方向（矢印Ｓ）へ手等で押圧する場合において、手等で押圧する力の増加する割合が少なくて済み、つまり、手等で押圧する場合の手等への負担増が少なくて済む。
【００３９】
また、特に図示しないが、プッシュオン式蓋付き容器（３９）においても、スイング式蓋付き容器（９Ｋ）と同様のヒステリシス板と永久磁石の配置、作用が可能である。
【００４０】
次に本発明の他の一実施形態である、プッシュオン式蓋付き容器（３９ａ）について記す。プッシュオン式蓋付き容器（３９ａ）は、プッシュオン式蓋付き容器（３９）を次のようにしてある。プッシュオン式蓋付き容器（３９ａ）は、プッシュオン式蓋付き容器（３９）において、この軸受部（４２）の周辺の軸受周辺部（４４）にヒステリシス板（４６）を設け、に代えて、この軸受部（４２ａ）にヒステリシス板（４６ａ）を設け、としてある。つまり、プッシュオン式蓋付き容器（３９ａ）は、プッシュオン式蓋付き容器（３９）において、図１１にて、この軸部（４１ａ）に永久磁石（４５ａ）を設け、この軸受部（４２ａ）にヒステリシス板（４６ａ）を設け、この永久磁石（４５ａ）と此のヒステリシス板（４６ａ）を面対向して設けてある。
【００４１】
次に本発明の他の一実施形態である、プッシュオン式蓋付き容器（３９ｂ）について記す。プッシュオン式蓋付き容器（３９ｂ）は、プッシュオン式蓋付き容器（３９）と同じように次のようにしてある。プッシュオン式蓋付き容器（３９ｂ）は、プッシュオン式蓋付き容器（３９）において、図１４にて、この軸部（４１ｂ）に永久磁石（４５ｂ）を設け、この軸受部（４２ｂ）の周辺の軸受周辺部（４４ｂ）にヒステリシス板（４６ｂ）を設け、この永久磁石（４５ｂ）と此のヒステリシス板（４６ｂ）を面対向して設けてある。
【００４２】
次に本発明の他の一実施形態である、プッシュオン式蓋付き容器（３９ｄ）について記す。プッシュオン式蓋付き容器（３９ｄ）は、プッシュオン式蓋付き容器（３９）を次のようにしてある。プッシュオン式蓋付き容器（３９ｄ）は、プッシュオン式蓋付き容器（３９）において、この軸部（４１）に永久磁石（４５）を設け、この軸受部（４２）の周辺の軸受周辺部（４４）にヒステリシス板（４６）を設け、に代えて、この軸部（４１ｄ）の周辺の軸周辺部（４３ｄ）に永久磁石（４５ｄ）を設け、この軸受部（４２ｄ）にヒステリシス板（４６ｄ）を設け、としてある。つまり、プッシュオン式蓋付き容器（３９ａ）は、スイング式蓋付き容器（３９）において、図１２て、この軸部（４１ｄ）の周辺の軸周辺部（４３ｄ）に永久磁石（４５ｄ）を設け、この軸受部（４２ｄ）にヒステリシス板（４６ｄ）を設け、この永久磁石（４５ｄ）と此のヒステリシス板（４６ｄ）を面対向して設けてある。
【００４３】
また、特に図示しないが、プッシュオン式蓋付き容器（３９ｄ）を次のようにしてもよい。この軸部（４１ｄ）の周辺の軸周辺部（４３ｄ）に永久磁石（４５ｄ）を設け、この軸受部（４２ｄ）にヒステリシス板（４６ｄ）を設け、永久磁石（４５ｄ）とヒステリシス板（４６ｄ）を面対向して設け、に代えて、この軸部（４１ｄ）の周辺の軸周辺部（４３ｄ）にヒステリシス板（４６ｄ）を設け、この軸受部（４２ｄ）に永久磁石（４５ｄ）を設け、このヒステリシス板（４６ｄ）と此の永久磁石（４５ｄ）を面対向して設け、としてもよい。
【００４４】
また、特に図示しないが、プッシュオン式蓋付き容器にて、次のようにしてもよい。上記軸部の周辺の軸周辺部または上記軸部にヒステリシス板を設け、上記軸受部の周辺の軸受周辺部または上記軸受部に永久磁石を設け、上記ヒステリシス板と上記永久磁石を面対向して設け、としてもよい。上記永久磁石に比較して軽量の上記ヒステリシス板を上記蓋体側に設けるので、上記永久磁石を上記蓋体側に設ける場合に比べて、例えば、つり合って静止しているつり合う位置にある上記蓋体の上記端部を下方向へ手等で押圧する場合において、手等で押圧する力の増加する割合が少なくて済み、つまり、手等で押圧する場合の手等への負担増が少なくて済む。
【００４５】
また、特に図示しないが、プッシュオン式蓋付き容器にて、次のようにしてもよい。この蓋体に一体的に軸部を配置して此の取付枠に一体的に軸受部を配置し、に代えて、この蓋体に一体的に軸受部を配置して此の取付枠に一体的に軸部を配置し、としてもよい。
【００４６】
次に、本発明の一実施形態である、プッシュオン式蓋付き容器（３９ｅ）について記す。プッシュオン式蓋付き容器（３９ｅ）は、プッシュオン式蓋付き容器（３９）を次のようにしてある。プッシュオン式蓋付き容器（３９ｅ）は、プッシュオン式蓋付き容器（３９）において、この蓋体（３７）に一体的に軸部（４１）を配置して此の取付枠（３４）に一体的に軸受部（４２）を配置し、この軸部（４１）、この軸受部（４２）で、この蓋体（３７）を枢設し、この軸部（４１）に永久磁石（４５）を設け、この軸受部（４２）の周辺の軸受周辺部（４４）にヒステリシス板（４６）を設け、この永久磁石（４５）と此のヒステリシス板（４６）を面対向して設け、に代えて、図１３、図１７にて、この蓋体（３７）に一体的に第２軸受部（４７）を配置し、この取付枠（３４）に一体的に第３軸受部（４８）を配置し、この蓋体（３７）および此の取付枠（３４）から独立し設けた独立軸部（４９）を設け、この第２軸受部（４７）と此の第３軸受部（４８）に此の独立軸部（４９）を挿入し、この第２軸受部（４７）、この第３軸受部（４８）、この独立軸部（４９）で、この蓋体（３７）を枢設し、この第２軸受部（４７）にヒステリシス板（４６ｅ）を設け、この第３軸受部（４８）に永久磁石（４５ｅ）を設け、このヒステリシス板（４６ｅ）と此の永久磁石（４５ｅ）を面対向して設け、としてある。つまり、プッシュオン式蓋付き容器（３９ｅ）は、図１３、図１７にて、この蓋体（３７）に一体的に第２軸受部（４７）を配置してある。この取付枠（３４）に一体的に第３軸受部（４８）を配置してある。この蓋体（３７）および此の取付枠（３４）から独立し設けた独立軸部（４９）を設けてある。この第２軸受部（４７）と此の第３軸受部（４８）に此の独立軸部（４９）を挿入してある。この第２軸受部（４７）、この第３軸受部（４８）、この独立軸部（４９）で、この蓋体（３７）を枢設してある。この第２軸受部（４７）にヒステリシス板（４６ｅ）を設け、この第３軸受部（４８）に永久磁石（４５ｅ）を設け、このヒステリシス板（４６ｅ）と此の永久磁石（４５ｅ）を面対向して設けてある。
【００４７】
また、特に図示しないが、プッシュオン式蓋付き容器（３９ｅ）を次のようにしてもよい。上記第２軸受部（４７）の周辺の第２軸受周辺部に永久磁石を設け、上記第３軸受部（４８）の周辺の第３軸受周辺部にヒステリシス板を設け、この永久磁石と此のヒステリシス板を面対向して設けてもよい。
【００４８】
また、プッシュオン式蓋付き容器（３９ｅ）において、加工、取付方法について、次のようにしてある。この蓋体（３７）に一体的に第２軸受部（４７）を配置してある、について記す。この蓋体（３７）に第２軸受部（４７）を配置してある。合成樹脂によりこの蓋体（３７）と第２軸受部（４７）を成型加工してある。この取付枠（３４）に一体的に第３軸受部（４８）を配置してある、について記す。この取付枠（３４）に第３軸受部（４８）を配置してある。合成樹脂によりこの取付枠（３４）と第３軸受部（４８）を成型加工してある。この独立軸部（４９）は、軸（６６ｅ）と抜け止め（６７ｅ）より設けられる。挿入した軸（６６ｅ）の端部を弾性的に係止する合成樹脂の抜け止め（６７ｅ）を挿入してある。また、この第２軸受部（４７）にヒステリシス板（４６ｅ）を設け、この第３軸受部（４８）に永久磁石（４５ｅ）を設け、このヒステリシス板（４６ｅ）と此の永久磁石（４５ｅ）を面対向して設けてある、について記す。この第２軸受部（４７）の凹部に此のヒステリシス板（４６ｅ）を取り付けてある。この第３軸受部（４８）の凹部に此の永久磁石（４５ｅ）を取り付けてある。
【００４９】
また、まとめると、次のように記すこともできる。本発明の一実施形態である、プッシュオン式蓋付き容器は、この蓋体に一体的に軸部を配置して此の取付枠に一体的に軸受部を配置してある。あるいは、この蓋体に一体的に軸受部を配置して此の取付枠に一体的に軸部を配置してある。この軸部、この軸受部で、この蓋体を枢設してある。また、次のように記すこともできる。本発明の一実施形態である、プッシュオン式蓋付き容器は、この軸部の周辺の軸周辺部または此の軸部に永久磁石を設け、この軸受部の周辺の軸受周辺部または此の軸受部にヒステリシス板を設け、この永久磁石と此のヒステリシス板を面対向して設けてある。あるいは、この軸部の周辺の軸周辺部または此の軸部にヒステリシス板を設け、この軸受部の周辺の軸受周辺部または此の軸受部に永久磁石を設け、このヒステリシス板と此の永久磁石を面対向して設けてある。また、次のように記すこともできる。本発明の一実施形態である、プッシュオン式蓋付き容器は、この蓋体に一体的に第２軸受部を配置してある。この取付枠に一体的に第３軸受部を配置してある。この蓋体および此の取付枠から独立し設けた独立軸部を設けてある。この第２軸受部と此の第３軸受部に此の独立軸部を挿入してある。この第２軸受部、この第３軸受部、この独立軸部で、この蓋体を枢設してある。また、次のように記すこともできる。本発明の一実施形態である、プッシュオン式蓋付き容器は、この第２軸受部の周辺の第２軸受周辺部または此の第２軸受部に永久磁石を設け、この第３軸受部の周辺の第３軸受周辺部または此の第３軸受部にヒステリシス板を設け、この永久磁石と此のヒステリシス板を面対向して設けてある。あるいは、この第２軸受部の周辺の第２軸受周辺部または此の第２軸受部にヒステリシス板を設け、この第３軸受部の周辺の第３軸受周辺部または此の第３軸受部に永久磁石を設け、このヒステリシス板と此の永久磁石を面対向して設けてある。
【００５０】
また、次のように記すこともできる。本発明の一実施形態である、プッシュオン式蓋付き容器は、この枢設しているところの軸部または此の軸部の周辺の軸周辺部または此の軸部を受ける軸受部または此の軸受部の周辺の軸受周辺部に、この蓋体と此の取付枠にて、永久磁石とヒステリシス板を面対向して設けてある。あるいは、この枢設しているところの軸部または此の軸部の周辺の軸周辺部または此の軸部を受ける軸受部または此の軸受部の周辺の軸受周辺部に、この蓋体と此の取付枠にて、ヒステリシス板と永久磁石を面対向して設けてある。
【００５１】
また、次のように記すこともできる。本発明の一実施形態である、プッシュオン式蓋付き容器は、この枢設している軸部または此の軸部の周辺の軸周辺部または此の軸部を受ける軸受部または此の軸受部の周辺の軸受周辺部に、この蓋体と此の取付枠にて、永久磁石とヒステリシス板を面対向して設けてある。あるいは、この枢設している軸部または此の軸部の周辺の軸周辺部または此の軸部を受ける軸受部または此の軸受部の周辺の軸受周辺部に、この蓋体と此の取付枠にて、ヒステリシス板と永久磁石を面対向して設けてある。
【００５２】
また、次のように記すこともできる。本発明の一実施形態である、プッシュオン式蓋付き容器は、投入口を開いた蓋体の位置にて、永久磁石とヒステリシス板を面対向して設け、あるいは、ヒステリシス板と永久磁石を面対向して設けてある。また、次のように記すこともできる。本発明の一実施形態である、プッシュオン式蓋付き容器は、投入口を開いた蓋体の全閉の位置にて、永久磁石とヒステリシス板を面対向して設け、あるいは、ヒステリシス板と永久磁石を面対向して設けてある。また、次のように記すこともできる。本発明の一実施形態である、プッシュオン式蓋付き容器は、投入口を閉じた蓋体の位置にて、永久磁石とヒステリシス板を面対向して設け、あるいは、ヒステリシス板と永久磁石を面対向して設けてある。
【００５３】
次に、本発明の一実施形態である、スイング式蓋付き容器（９Ａ）について記す。スイング式蓋付き容器（９Ａ）は、図１〜図４、図１６にて、上面近傍に開口部（１）を有した容器本体（２）を設けてある。上記容器本体（２）の上縁（３）近傍の周囲に嵌合した取付枠（４）を設けてある。上記取付枠（４）に投入口（５）を設けてある。上記取付枠（４）の中央部（６）にて回動自在に枢設した蓋体（７）を設けてある。上記蓋体（７）の端部（８）を押圧すると上記蓋体（７）が上記投入口（５）を開放できるようにしたスイング式蓋付き容器（９Ａ）である。上記蓋体（７）の中央部（１０）に一体的に軸部（１１）を配置してある。上記取付枠（４）の中央部（６）に一体的に軸受部（１２）を配置してある。上記軸部（１１）、上記軸受部（１２）で、上記蓋体（７）を枢設してある。上記軸部（１１）に永久磁石（１５Ａ）を設け、上記軸受部（１２）の周辺の軸受周辺部（１４）に永久磁石（１５ＡＡ）を設け、上記永久磁石（１５Ａ）と上記永久磁石（１５ＡＡ）を面対向して設けてある。上記蓋体（７）の上記端部（８）を押圧することにより回動する上記蓋体（７）を制動することを特徴とするスイング式蓋付き容器（９Ａ）である。
【００５４】
また、スイング式蓋付き容器（９Ａ）は、次のようにしてある。上記軸部（１１）にＮ極の永久磁石（１５Ａ）を設け、上記軸受部（１２）の周辺の軸受周辺部（１４）にＳ極の永久磁石（１５ＡＡ）を設け、Ｎ極の上記永久磁石（１５Ａ）とＳ極の上記永久磁石（１５ＡＡ）を面対向して設けてある。また、上記投入口（５）を閉じた上記蓋体（７）の位置にて、上記永久磁石（１５Ａ）と上記永久磁石（１５ＡＡ）を面対向して設けてある。
【００５５】
次に、本発明の一実施形態である、スイング式蓋付き容器（９Ａ）の作用について説明する。スイング式蓋付き容器（９Ａ）において、図１６にて、上記蓋体（７）の上記端部（８）を手等で押圧していない状態では、実線で記したように、バランスがつり合っていて、つり合う位置で上記蓋体（７）は静止している。例えば、上記蓋体（７）の左側の上記端部（８）を開き方向（下方向）（矢印Ｄ）へ手等で押圧すると、一点鎖線で記したように、上記蓋体（７Ａ）は開き方向（下方向）（矢印Ｄ）へ回転する。その後、上記蓋体（７Ａ）の上記端部から手等を外して押圧により加えている力を取り除くと、つり合おうとするために実線で記したつり合う位置へ戻ろうと上記蓋体は開き方向（上方向）（矢印Ｕ）に回転する。しかし、回転し過ぎて、上記蓋体は、つり合う位置を超え、その後、回転する力を消耗すると、また、つり合う位置へ戻ろうと上記蓋体は開き方向（下方向）（矢印Ｄ）に回転する、という一連の揺動を当初の、つり合う位置に到達するまで繰り返そうとする。しかし、その際、図１にて、上記Ｎ極の永久磁石（１５Ａ）と上記Ｓ極の永久磁石（１５ＡＡ）の間に作用する磁力によって、上記一連の揺動を制動する。つまり、不必要な揺動を短い時間で抑制することが可能となり、例えば、つり合って静止しているつり合う位置にある上記蓋体（７）の左側の上記端部（８）を開き方向（下方向）（矢印Ｄ）へ手等で押圧しても、一連の揺動がほとんど発生することなく、元のつり合う位置に上記蓋体（７）を戻すことができる。また、上記蓋体が回転、回動するのにおいて、障害となる条件が何もないので、つり合う位置である基準の位置から３６０度の範囲まで作用可能である。また、例えば、つり合って静止しているつり合う位置にある上記蓋体（７）の左側の上記端部（８）を開き方向（下方向）（矢印Ｄ）へ手等で押圧する場合において、上記Ｎ極の永久磁石（１５Ａ）と上記Ｓ極の永久磁石（１５ＡＡ）の間に作用する磁力を小さくすることができるので、手等で押圧する力の増加する割合が少なくて済み、つまり、手等で押圧する場合の手等への負担増が少なくて済む。さらに、磁力を利用していることから、機械的な動作による摩擦等が少ないので消耗等の機械的損失等が少なく長期使用しても安定した効果を半永久的に持続することが可能である。また、一般的にスイング式の蓋付き容器においては、製造時の加工精度等により生じる、蓋体の微少な歪み又は蓋体の微少な寸法誤差等からくる軸部を中心とした荷重の左右のアンバランス、あるいは軸部の表面の平滑性の度合等により、つり合う位置である基準の位置に復帰する前に回動している蓋体が途中で停止するという問題が発生する場合がある。生じる磁力によって、元のつり合う位置に上記蓋体が確実に復帰するので、前記問題を解消し、製造時の加工精度等により生じる、つり合う位置である基準の位置に復帰する前に回動している蓋体が途中で停止するのを減少させることが可能である。また、加工が容易で、使用する材料も少なくて済むので低コストで製造できる。また、不必要な揺動を抑制することで、外観上の不快感の減少、ゴミ等の臭いの周辺への拡散防止が可能である。
【００５６】
また、本発明の一実施形態である、スイング式蓋付き容器（９Ａ）において、上記投入口（５）を閉じた上記蓋体（７）の位置にて、上記軸部（１１）にＮ極の永久磁石（１５Ａ）を設け、上記軸受部（１２）の周辺の軸受周辺部（１４）にＳ極の永久磁石（１５ＡＡ）を設け、Ｎ極の上記永久磁石（１５Ａ）とＳ極の上記永久磁石（１５ＡＡ）を面対向して設け、に代えて、上記投入口（５）を閉じた上記蓋体（７）の位置にて、上記軸部（１１）にＮ極の永久磁石（２６）を設け、上記軸受部（１２）の周辺の軸受周辺部（１４）にＳ極の永久磁石（２４）を設け、Ｎ極の永久磁石（２６）とＳ極の永久磁石（２４）を面対向して設け、としたスイング式蓋付き容器（９Ｆ）としてもよい。本発明の他の一実施形態である、スイング式蓋付き容器（９Ｆ）にて、永久磁石の配置と作用について説明する。図１８は、スイング式蓋付き容器（９Ｆ）における、永久磁石の取付箇所の正面図で、図１８の左上段（ａ）に、取付枠側のＳ極の永久磁石（２４）を単体で描き、図１８の左下段（ｂ）に、蓋体側のＮ極の永久磁石（２６）を単体で描き、図１８の中央左（ｃ）に、Ｎ極の永久磁石（２６）とＳ極の永久磁石（２４）を、上記投入口を閉じた上記蓋体の位置にて、対向した状態を描き、図１８の中央右（ｄ）に、（ｃ）の同状態から開き方向（矢印Ｐ１）に回転させた状態を描き、図１８の右（ｅ）に、さらに、（ｄ）の同状態から閉じ方向（矢印Ｔ１）に回転させた状態を描いてある。スイング式蓋付き容器（９Ｆ）において、図１８（ｃ）にて、上記蓋体側に設けたＮ極の永久磁石（２６）と上記取付枠側に設けたＳ極の永久磁石（２４）を、上記投入口を閉じた上記蓋体の位置にて、面対向に設けてある。Ｎ極の永久磁石（２６）とＳ極の永久磁石（２４）は面積を同じにしてある。図１８（ｄ）にて、上記投入口を開くため、上記蓋体を手等で押圧して開き方向（矢印Ｐ１）に回転させると、面対向に設けてあるＮ極の永久磁石（２６）が開き方向（矢印Ｐ１）に回転する。しかし、図１８（ｅ）にて、Ｎ極の永久磁石（２６）とＳ極の永久磁石（２４）の間に作用する磁力により、Ｎ極の永久磁石（２６）はＳ極の永久磁石（２４）に吸引されて、閉じ方向（矢印Ｔ１）に戻る。
【００５７】
また、本発明の一実施形態である、スイング式蓋付き容器（９Ａ）において、上記投入口（５）を閉じた上記蓋体（７）の位置にて、上記軸部（１１）にＮ極の永久磁石（１５Ａ）を設け、上記軸受部（１２）の周辺の軸受周辺部（１４）にＳ極の永久磁石（１５ＡＡ）を設け、Ｎ極の上記永久磁石（１５Ａ）とＳ極の上記永久磁石（１５ＡＡ）を面対向して設け、に代えて、上記投入口（５）を閉じた上記蓋体（７）の位置にて、上記軸部（１１）にＮ極の永久磁石（２６ａ）を設け、上記軸受部（１２）の周辺の軸受周辺部（１４）に、Ｓ極の永久磁石（２４ａ）およびＮ極の永久磁石（２８）を設け、Ｎ極の永久磁石（２６ａ）と、Ｓ極の永久磁石（２４ａ）およびＮ極の永久磁石（２８）を、面対向して設け、としたスイング式蓋付き容器（９Ｇ）としてもよい。本発明の他の一実施形態である、スイング式蓋付き容器（９Ｇ）にて、永久磁石の配置と作用について説明する。図１９は、スイング式蓋付き容器（９Ｇ）における、永久磁石の取付箇所の正面図で、図１８と同様に、図１９の左上段（ａ）、図１９の左下段（ｂ）、図１９の中央左（ｃ）、図１９の中央右（ｄ）、図１９の右（ｅ）に、各々描いてある。スイング式蓋付き容器（９Ｇ）において、図１９（ｃ）にて、上記蓋体側に設けたＮ極の永久磁石（２６ａ）と上記取付枠側に設けたＳ極の永久磁石（２４ａ）を、上記投入口を閉じた上記蓋体の位置にて、面対向に設けてある。Ｎ極の永久磁石（２８）はＳ極の永久磁石（２４ａ）から少し角度をもたせて同一の平面上に設けてある。Ｎ極の永久磁石（２６ａ）とＳ極の永久磁石（２４ａ）とＮ極の永久磁石（２８）は面積を同じにしてある。図１９（ｄ）にて、上記投入口を開くため、上記蓋体を手等で押圧して開き方向（矢印Ｐ２）に回転させると、面対向に設けてあるＮ極の永久磁石（２６ａ）が開き方向（矢印Ｐ２）に回転する。しかし、図１９（ｅ）にて、Ｎ極の永久磁石（２６ａ）とＮ極の永久磁石（２８）の間に作用する磁力により、Ｎ極の永久磁石（２６ａ）はＮ極の永久磁石（２８）と反発し、閉じ方向（矢印Ｔ２）に戻る。また、Ｎ極の永久磁石（２６ａ）とＳ極の永久磁石（２４ａ）の間に作用する磁力により、Ｎ極の永久磁石（２６ａ）はＳ極の永久磁石（２４ａ）に吸引されて、閉じ方向（矢印Ｔ２）に戻る。
【００５８】
また、本発明の一実施形態である、スイング式蓋付き容器（９Ａ）において、上記投入口（５）を閉じた上記蓋体（７）の位置にて、上記軸部（１１）にＮ極の永久磁石（１５Ａ）を設け、上記軸受部（１２）の周辺の軸受周辺部（１４）にＳ極の永久磁石（１５ＡＡ）を設け、Ｎ極の上記永久磁石（１５Ａ）とＳ極の上記永久磁石（１５ＡＡ）を面対向して設け、に代えて、上記投入口（５）を閉じた上記蓋体（７）の位置にて、上記軸部（１１）にＮ極の永久磁石（２６ｂ）を設け、上記軸受部（１２）の周辺の軸受周辺部（１４）に、Ｓ極の永久磁石（２４ｂ）およびＳ極の永久磁石（２９）を設け、Ｎ極の永久磁石（２６ｂ）と、Ｓ極の永久磁石（２４ｂ）およびＳ極の永久磁石（２９）を、面対向して設け、としたスイング式蓋付き容器（９Ｈ）としてもよい。本発明の他の一実施形態である、スイング式蓋付き容器（９Ｈ）にて、永久磁石の配置と作用について説明する。図２０は、スイング式蓋付き容器（９Ｈ）における、永久磁石の取付箇所の正面図で、図１８と同様に、図２０の左上段（ａ）、図２０の左下段（ｂ）、図２０の中央左（ｃ）、図２０の中央右（ｄ）、図２０の右（ｅ）に、各々描いてある。スイング式蓋付き容器（９Ｈ）において、図２０（ｃ）にて、上記蓋体側に設けたＮ極の永久磁石（２６ｂ）と上記取付枠側に設けたＳ極の永久磁石（２４ｂ）を、上記投入口を閉じた上記蓋体の位置にて、面対向に設けてある。Ｓ極の永久磁石（２９）はＳ極の永久磁石（２４ｂ）から角度をもたせて同一の平面上に設けてある。Ｎ極の永久磁石（２６ｂ）とＳ極の永久磁石（２４ｂ）は面積を同じにしてある。Ｎ極の永久磁石（２６ｂ）の４分の１程度にＳ極の永久磁石（２９）の面積を設けてある。また、スイング式蓋付き容器（９Ｈ）の蓋体（７）の重さはスイング式蓋付き容器（９Ｆ）（９Ｇ）より重くしてある。図２０（ｄ）にて、上記投入口を開くため、上記蓋体を手等で押圧して開き方向（矢印Ｐ３）に回転させると、面対向に設けてあるＮ極の永久磁石（２６ｂ）が開き方向（矢印Ｐ３）に回転する。その際、Ｎ極の永久磁石（２６ｂ）とＳ極の永久磁石（２９）の間に作用する磁力により、Ｎ極の永久磁石（２６ｂ）はＳ極の永久磁石（２９）に吸引し減速する。しかし、図２０（ｅ）にて、Ｎ極の永久磁石（２６ｂ）とＳ極の永久磁石（２４ｂ）の間に作用する磁力は、Ｎ極の永久磁石（２６ｂ）とＳ極の永久磁石（２９）の間に作用する磁力より大きいので、Ｎ極の永久磁石（２６ｂ）はＳ極の永久磁石（２４ｂ）に吸引されて、閉じ方向（矢印Ｔ３）に戻る。
【００５９】
また、本発明の一実施形態である、スイング式蓋付き容器（９Ａ）において、上記投入口（５）を閉じた上記蓋体（７）の位置にて、上記軸部（１１）にＮ極の永久磁石（１５Ａ）を設け、上記軸受部（１２）の周辺の軸受周辺部（１４）にＳ極の永久磁石（１５ＡＡ）を設け、Ｎ極の上記永久磁石（１５Ａ）とＳ極の上記永久磁石（１５ＡＡ）を面対向して設け、に代えて、上記投入口（５）を閉じた上記蓋体（７）の位置にて、上記軸部（１１）にＮ極の永久磁石（２６ｃ）を設け、上記軸受部（１２）の周辺の軸受周辺部（１４）に、Ｎ極の永久磁石（２８ａ）およびＮ極の永久磁石（２８ｂ）を設け、Ｎ極の永久磁石（２６ｃ）と、Ｎ極の永久磁石（２８ａ）およびＮ極の永久磁石（２８ｂ）を、面対向して設け、としたスイング式蓋付き容器（９Ｊ）としてもよい。本発明の他の一実施形態である、スイング式蓋付き容器（９Ｊ）にて、永久磁石の配置と作用について説明する。図２１は、スイング式蓋付き容器（９Ｊ）における、永久磁石の取付箇所の正面図で、図１８と同様に、図２１の左上段（ａ）、図２１の左下段（ｂ）、図２１の中央左（ｃ）、図２１の中央右（ｄ）、図２１の右（ｅ）に、各々描いてある。スイング式蓋付き容器（９Ｊ）において、図２１（ｃ）にて、Ｎ極の永久磁石（２８ａ）とＮ極の永久磁石（２８ｂ）は角度をもたせて同一の平面上に離して設けてある。Ｎ極の永久磁石（２８ａ）とＮ極の永久磁石（２８ｂ）は、Ｎ極の永久磁石（２６ｃ）の２分の１程度の面積に各々してある。上記蓋体側に設けたＮ極の永久磁石（２６ｃ）と、上記取付枠側に設けたＮ極の永久磁石（２８ａ）およびＮ極の永久磁石（２８ｂ）を、上記投入口を閉じた上記蓋体の位置にて、面対向に設けていない。図２１（ｄ）にて、上記投入口を開くため、上記蓋体を手等で押圧して開き方向（矢印Ｐ４）に回転させると、Ｎ極の永久磁石（２６ｃ）が開き方向（矢印Ｐ４）に回転する。しかし、図２１（ｅ）にて、Ｎ極の永久磁石（２６ｃ）とＮ極の永久磁石（２８ａ）の間に作用する磁力により、Ｎ極の永久磁石（２６ｃ）はＮ極の永久磁石（２８ａ）と反発し、閉じ方向（矢印Ｔ４）に戻る。この場合、上記投入口を閉じた上記蓋体の位置にてＮ極の永久磁石（２６ｃ）とＮ極の永久磁石（２８ａ）は面対向していないが、上記投入口を開いた上記蓋体の位置にてＮ極の永久磁石（２６ｃ）とＮ極の永久磁石（２８ａ）は面対向している。面対向するのにおいて、Ｎ極とＮ極というように極が同じでもよい。
【００６０】
また、特に図示しないが、スイング式蓋付き容器（９ａ）（９ｂ）（９ｃ）（９ｄ）（９ｅ）にて、各々、次のようにしてもよい。ヒステリシス板（１６ａ）（１６ｂ）（１６ｃ）（１６ｄ）（１６ｅ）、に代えて、永久磁石、にしたことを特徴とするスイング式蓋付き容器としてもよい。
【００６１】
また、特に図示しないが、スイング式蓋付き容器（９ａ）にて、次のようにしてもよい。上記軸部（１１ａ）に永久磁石（１５ａ）を設け、上記軸受部（１２ａ）にヒステリシス板（１６ａ）を設け、上記永久磁石（１５ａ）と上記ヒステリシス板（１６ａ）を面対向して設け、に代えて、上記軸部（１１ａ）にＮ極の永久磁石を設け、上記軸受部（１２ａ）にＳ極の永久磁石を設け、Ｎ極の上記永久磁石とＳ極の上記永久磁石を面対向して設け、にしたことを特徴とするスイング式蓋付き容器としてもよい。また、上記軸部（１１ａ）にＳ極の永久磁石を設け、上記軸受部（１２ａ）にＮ極の永久磁石を設け、Ｓ極の上記永久磁石とＮ極の上記永久磁石を面対向して設け、にしたことを特徴とするスイング式蓋付き容器としてもよい。
【００６２】
また、特に図示しないが、スイング式蓋付き容器（９ｂ）（９ｃ）にて、各々、次のようにしてもよい。上記軸部（１１ｂ）（１１ｃ）に永久磁石（１５ｂ）（１５ｃ）を設け、上記軸受部（１２ｂ）（１２ｃ）の周辺の軸受周辺部（１４ｂ）（１４ｃ）にヒステリシス板（１６ｂ）（１６ｃ）を設け、上記永久磁石（１５ｂ）（１５ｃ）と上記ヒステリシス板（１６ｂ）（１６ｃ）を面対向して設け、に代えて、上記軸部（１１ｂ）（１１ｃ）にＮ極の永久磁石を設け、上記軸受部（１２ｂ）（１２ｃ）の周辺の軸受周辺部（１４ｂ）（１４ｃ）にＳ極の永久磁石を設け、Ｎ極の上記永久磁石とＳ極の上記永久磁石を面対向して設け、にしたことを特徴とするスイング式蓋付き容器としてもよい。また、上記軸部（１１ｂ）（１１ｃ）にＳ極の永久磁石を設け、上記軸受部（１２ｂ）（１２ｃ）の周辺の軸受周辺部（１４ｂ）（１４ｃ）にＮ極の永久磁石を設け、Ｓ極の上記永久磁石とＮ極の上記永久磁石を面対向して設け、にしたことを特徴とするスイング式蓋付き容器としてもよい。
【００６３】
また、特に図示しないが、スイング式蓋付き容器（９ｄ）にて、次のようにしてもよい。上記軸部（１１ｄ）の周辺の軸受周辺部（１３ｄ）に永久磁石（１５ｄ）を設け、上記軸受部（１２ｄ）にヒステリシス板（１６ｄ）を設け、上記永久磁石（１５ｄ）と上記ヒステリシス板（１６ｄ）を面対向して設け、に代えて、上記軸部（１１ｄ）の周辺の軸受周辺部（１３ｄ）にＮ極の永久磁石を設け、上記軸受部（１２ｄ）にＳ極の永久磁石を設け、Ｎ極の上記永久磁石とＳ極の上記永久磁石を面対向して設け、にしたことを特徴とするスイング式蓋付き容器としてもよい。また、上記軸部（１１ｄ）の周辺の軸受周辺部（１３ｄ）にＳ極の永久磁石を設け、上記軸受部（１２ｄ）にＮ極の永久磁石を設け、Ｓ極の上記永久磁石とＮ極の上記永久磁石を面対向して設け、にしたことを特徴とするスイング式蓋付き容器としてもよい。
【００６４】
また、特に図示しないが、スイング式蓋付き容器（９ｅ）にて、次のようにしてもよい。上記第２軸受部（１７）にヒステリシス板（１６ｅ）を設け、上記第３軸受部（１８）に永久磁石（１５ｅ）を設け、上記ヒステリシス板（１６ｅ）と上記永久磁石（１５ｅ）を面対向して設け、に代えて、上記第２軸受部（１７）にＮ極の永久磁石を設け、上記第３軸受部（１８）にＳ極の永久磁石を設け、Ｎ極の上記永久磁石とＳ極の上記永久磁石を面対向して設け、にしたことを特徴とするスイング式蓋付き容器としてもよい。また、上記第２軸受部（１７）にＳ極の永久磁石を設け、上記第３軸受部（１８）にＮ極の永久磁石を設け、Ｓ極の上記永久磁石とＮ極の上記永久磁石を面対向して設け、にしたことを特徴とするスイング式蓋付き容器としてもよい。
【００６５】
また、以上をまとめると、次のように記すこともできる。本発明の一実施形態である、スイング式蓋付き容器は、上記軸部の周辺の軸周辺部または上記軸部に永久磁石を設け、上記軸受部の周辺の軸受周辺部または上記軸受部に永久磁石を設け、上記永久磁石と上記永久磁石を面対向して設けてある。また、次のように記すこともできる。本発明の一実施形態である、スイング式蓋付き容器は、上記軸部の周辺の軸周辺部または上記軸部にＮ極の永久磁石を設け、上記軸受部の周辺の軸受周辺部または上記軸受部にＳ極の永久磁石を設け、Ｎ極の上記永久磁石とＳ極の上記永久磁石を面対向して設けてある。また、次のように記すこともできる。本発明の一実施形態である、スイング式蓋付き容器は、上記軸部の周辺の軸周辺部または上記軸部にＳ極の永久磁石を設け、上記軸受部の周辺の軸受周辺部または上記軸受部にＮ極の永久磁石を設け、Ｓ極の上記永久磁石とＮ極の上記永久磁石を面対向して設けてある。また、次のように記すこともできる。本発明の一実施形態である、スイング式蓋付き容器は、上記第２軸受部に永久磁石を設け、上記第３軸受部に永久磁石を設け、上記永久磁石と上記永久磁石を面対向して設けてある。また、次のように記すこともできる。本発明の一実施形態である、スイング式蓋付き容器は、上記第２軸受部にＮ極の永久磁石を設け、上記第３軸受部にＳ極の永久磁石を設け、Ｎ極の上記永久磁石とＳ極の上記永久磁石を面対向して設けてある。また、次のように記すこともできる。本発明の一実施形態である、スイング式蓋付き容器は、上記第２軸受部にＳ極の永久磁石を設け、上記第３軸受部にＮ極の永久磁石を設け、Ｓ極の上記永久磁石とＮ極の上記永久磁石を面対向して設けてある。
【００６６】
また、次のように記すこともできる。本発明の一実施形態である、スイング式蓋付き容器は、上記枢設しているところの軸部または上記軸部の周辺の軸周辺部または上記軸部を受ける軸受部または上記軸受部の周辺の軸受周辺部に、上記蓋体と上記取付枠にて、永久磁石と永久磁石を面対向して設けてある。
【００６７】
また、次のように記すこともできる。本発明の一実施形態である、スイング式蓋付き容器は、上記枢設しているところの軸部または上記軸部の周辺の軸周辺部または上記軸部を受ける軸受部または上記軸受部の周辺の軸受周辺部に、上記蓋体と上記取付枠にて、Ｎ極の永久磁石とＳ極の永久磁石、または、Ｓ極の永久磁石とＮ極の永久磁石を、面対向して設けてある。
【００６８】
また、次のように記すこともできる。本発明の一実施形態である、スイング式蓋付き容器は、上記枢設している軸部または上記軸部の周辺の軸周辺部または上記軸部を受ける軸受部または上記軸受部の周辺の軸受周辺部に、上記蓋体と上記取付枠にて、永久磁石と永久磁石を面対向して設けてある。
【００６９】
また、特に図示しないが、スイング式蓋付き容器を次のようにしてもよい。上記投入口を閉じた上記蓋体の位置にて、永久磁石と永久磁石を面対向して設け、としてもよい。また、スイング式蓋付き容器を次のようにしてもよい。上記投入口を閉じた上記蓋体の全閉の位置にて、永久磁石と永久磁石を面対向して設け、としてもよい。また、スイング式蓋付き容器を次のようにしてもよい。上記投入口を開いた上記蓋体の位置にて、永久磁石と永久磁石を面対向して設け、としてもよい。
【００７０】
また、特に図示しないが、スイング式蓋付き容器を次のようにしてもよい。上記投入口を閉じた上記蓋体の位置にて、Ｎ極の永久磁石とＳ極の永久磁石を、または、Ｓ極の永久磁石とＮ極の永久磁石を、面対向して設け、としてもよい。また、スイング式蓋付き容器を次のようにしてもよい。上記投入口を閉じた上記蓋体の全閉の位置にて、Ｎ極の永久磁石とＳ極の永久磁石を、または、Ｓ極の永久磁石とＮ極の永久磁石を、面対向して設け、としてもよい。また、スイング式蓋付き容器を次のようにしてもよい。上記投入口を開いた上記蓋体の位置にて、Ｎ極の永久磁石とＳ極の永久磁石を、または、Ｓ極の永久磁石とＮ極の永久磁石を、面対向して設け、としてもよい。
【００７１】
次に、本発明の一実施形態である、プッシュオン式蓋付き容器（３９Ａ）について記す。プッシュオン式蓋付き容器（３９Ａ）は、図１０、図１７にて、上面近傍に開口部（３１）を有した容器本体（３２）を設けてある。この容器本体（３２）の上縁（３３）近傍の周囲に嵌合した取付枠（３４）を設けてある。この取付枠（３４）に投入口（３５）を設けてある。開き方向（矢印Ｐ）に付勢するバネ（２３）を介して此の取付枠（３４）に蓋体（３７）を枢設してある。開き方向（矢印Ｐ）に付勢する此の蓋体（３７）を掛止する揺動自在な掛止部材（２２）をこの取付枠（３４）の一端に設けてある。この掛止部材（２２）を押圧すると此の蓋体（３７）が此の投入口（３５）を開放できるようにしたプッシュオン蓋付き容器（３９Ａ）である。この蓋体（３７）に一体的に軸部（４１）を配置して此の取付枠（３４）に一体的に軸受部（４２）を配置してある。この軸部（４１）、この軸受部（４２）で、この蓋体（３７）を枢設してある。この軸部（４１）に永久磁石（４５Ａ）を設け、この軸受部（４２）の周辺の軸受周辺部（４４）に永久磁石（４５ＡＡ）を設け、この永久磁石（４５Ａ）と此の永久磁石（４５ＡＡ）を面対向して設けてある。この掛止部材（２２）を押圧することにより閉じている此の蓋体（３７）が開放し回転する此の蓋体（３７）を制動することを特徴とするプッシュオン式蓋付き容器（３９Ａ）である。
【００７２】
また、プッシュオン式蓋付き容器（３９Ａ）は、次のようにしてある。この軸部（４１）にＮ極の永久磁石（４５Ａ）を設け、この軸受部（４２）の周辺の軸受周辺部（４４）にＳ極の永久磁石（４５ＡＡ）を設け、Ｎ極の此の永久磁石（４５Ａ）とＳ極の此の永久磁石（４５ＡＡ）を面対向して設けてある。上記投入口（３５）を開いた上記蓋体（３７）の位置にて、この永久磁石（４５Ａ）と此の永久磁石（４５ＡＡ）を面対向して設けてある。
【００７３】
次に、本発明の一実施形態である、プッシュオン式蓋付き容器（３９Ａ）の作用について説明する。プッシュオン式蓋付き容器（３９Ａ）は、図１７にて、この開き方向（矢印Ｐ）に付勢する此のバネ（２３）を介した此の蓋体（３７）をこの掛止部材（２２）によって掛止している状態で、実線で記したように、この蓋体（３７）は閉じたままとなっている。図１０、図１７にて、この掛止部材（２２）を下方向（矢印Ｄ１）へ手等で押圧すると、この掛止部材（２２）によって掛止していた此の蓋体（３７）が開放し、力が加わって変形していた此のバネ（２３）が開放されて元に戻ろうとする力で、この蓋体（３７）は此の開き方向（矢印Ｐ）へ回転する。一点鎖線で記したように、開いた此の蓋体（３７Ａ）は此の取付枠（３４）の上縁近傍に衝突し、衝突した反動等で揺動が生じる。その際、このＮ極の永久磁石（４５Ａ）と此のＳ極の永久磁石（４５ＡＡ）の間に作用する磁力によって、一連の揺動を制動する。つまり、この掛止部材（２２）を下方向（矢印Ｄ１）へ手等で押圧して、掛止していた此の蓋体（３７）が閉じた状態から開放する際に発生する一連の揺動を短い時間で抑制することができ、一連の揺動の発生を低減することができる。さらに、この蓋体（３７Ａ）が取付枠（３４）の上縁近傍に衝突することにより発生する衝突音を低減することができる。また、開いた此の蓋体（３７Ａ）を閉じるため、この蓋体（３７Ａ）の此の端部（３８）を閉じ方向（矢印Ｓ）へ手等で押圧する場合において、このＮ極の永久磁石（４５Ａ）と此のＳ極の永久磁石（４５ＡＡ）の間に作用する磁力を小さくすることができるので、手等で押圧する力の増加する割合が少なくて済み、つまり、手等で押圧する場合の手等への負担増が少なくて済む。さらに、磁力を利用していることから、機械的な動作による摩擦等が少ないので消耗等の機械的損失等が少なく長期使用しても安定した効果を半永久的に持続することが可能である。また、加工が容易で、使用する材料も少なくて済むので低コストで製造できる。また、不必要な揺動を抑制することで、外観上の不快感の減少が可能である。
【００７４】
また、特に図示しないが、プッシュオン式蓋付き容器（３９Ａ）においても、スイング式蓋付き容器（９Ｆ）（９Ｇ）（９Ｈ）（９Ｊ）と同様の永久磁石の配置、作用が可能である。
【００７５】
また、特に図示しないが、プッシュオン式蓋付き容器（３９ａ）（３９ｂ）（３９ｄ）（３９ｅ）にて、各々、次のようにしてもよい。ヒステリシス板（４６ａ）（４６ｂ）（４６ｄ）（４６ｅ）、に代えて、永久磁石、にしたことを特徴とするプッシュオン式蓋付き容器としてもよい。
【００７６】
また、特に図示しないが、プッシュオン式蓋付き容器（３９ａ）にて、次のようにしてもよい。この軸部（４１ａ）に永久磁石（４５ａ）を設け、この軸受部（４２ａ）にヒステリシス板（４６ａ）を設け、この永久磁石（４５ａ）と此のヒステリシス板（４６ａ）を面対向して設け、に代えて、この軸部（４１ａ）にＮ極の永久磁石を設け、この軸受部（４２ａ）にＳ極の永久磁石を設け、Ｎ極の此の永久磁石とＳ極の此の永久磁石を面対向して設け、としてもよい。また、この軸部（４１ａ）にＳ極の永久磁石を設け、この軸受部（４２ａ）にＮ極の永久磁石を設け、Ｓ極の此の永久磁石とＮ極の此の永久磁石を面対向して設け、としてもよい。
【００７７】
また、特に図示しないが、プッシュオン式蓋付き容器（３９ｂ）にて、次のようにしてもよい。この軸部（４１ｂ）に永久磁石（４５ｂ）を設け、この軸受部（４２ｂ）の周辺の軸受周辺部（４４ｂ）にヒステリシス板（４６ｂ）を設け、この永久磁石（４５ｂ）と此のヒステリシス板（４６ｂ）を面対向して設け、に代えて、この軸部（４１ｂ）にＮ極の永久磁石を設け、この軸受部（４２ｂ）の周辺の軸受周辺部（４４ｂ）にＳ極の永久磁石を設け、Ｎ極の此の永久磁石とＳ極の此の永久磁石を面対向して設け、としてもよい。また、此の軸部（４１ｂ）にＳ極の永久磁石を設け、この軸受部（４２ｂ）の周辺の軸受周辺部（４４ｂ）にＮ極の永久磁石を設け、Ｓ極の此の永久磁石とＮ極の此の永久磁石を面対向して設け、としてもよい。
【００７８】
また、特に図示しないが、プッシュオン式蓋付き容器（３９ｄ）にて、次のようにしてもよい。この軸部（４１ｄ）の周辺の軸周辺部（４３ｄ）に永久磁石（４５ｄ）を設け、この軸受部（４２ｄ）にヒステリシス板（４６ｄ）を設け、この永久磁石（４５ｄ）と此のヒステリシス板（４６ｄ）を面対向して設け、に代えて、この軸部（４１ｄ）の周辺の軸周辺部（４３ｄ）にＮ極の永久磁石を設け、この軸受部（４２ｄ）にＳ極の永久磁石を設け、Ｎ極の此の永久磁石とＳ極の此の永久磁石を面対向して設け、としてもよい。また、この軸部（４１ｄ）の周辺の軸周辺部（４３ｄ）にＳ極の永久磁石を設け、この軸受部（４２ｄ）にＮ極の永久磁石を設け、Ｓ極の此の永久磁石とＮ極の此の永久磁石を面対向して設け、としてもよい。
【００７９】
また、特に図示しないが、プッシュオン式蓋付き容器（３９ｅ）にて、次のようにしてもよい。この第２軸受部（４７）にヒステリシス板（４６ｅ）を設け、この第３軸受部（４８）に永久磁石（４５ｅ）を設け、このヒステリシス板（４６ｅ）と此の永久磁石（４５ｅ）を面対向して設け、に代えて、この第２軸受部（４７）にＮ極の永久磁石を設け、この第３軸受部（４８）にＳ極の永久磁石を設け、Ｎ極の此の永久磁石とＳ極の此の永久磁石を面対向して設け、としてもよい。また、この第２軸受部（４７）にＳ極の永久磁石を設け、この第３軸受部（４８）にＮ極の永久磁石を設け、Ｓ極の此の永久磁石とＮ極の此の永久磁石を面対向して設け、としてもよい。
【００８０】
また、以上をまとめると、次のように記すこともできる。本発明の一実施形態である、プッシュオン式蓋付き容器は、この軸部の周辺の軸周辺部または此の軸部に永久磁石を設け、この軸受部の周辺の軸受周辺部または此の軸受部に永久磁石を設け、この永久磁石と此の永久磁石を面対向して設けてある。また、次のように記すこともできる。本発明の一実施形態である、プッシュオン式蓋付き容器は、この軸部の周辺の軸周辺部または此の軸部にＮ極の永久磁石を設け、この軸受部の周辺の軸受周辺部または此の軸受部にＳ極の永久磁石を設け、Ｎ極の此の永久磁石とＳ極の此の永久磁石を面対向して設けてある。また、次のように記すこともできる。本発明の一実施形態である、プッシュオン式蓋付き容器は、この軸部の周辺の軸周辺部または此の軸部にＳ極の永久磁石を設け、この軸受部の周辺の軸受周辺部または此の軸受部にＮ極の永久磁石を設け、Ｓ極の此の永久磁石とＮ極の此の永久磁石を面対向して設けてある。また、次のように記すこともできる。本発明の一実施形態である、プッシュオン式蓋付き容器は、この第２軸受部に永久磁石を設け、この第３軸受部に永久磁石を設け、この永久磁石と此の永久磁石を面対向して設けてある。また、次のように記すこともできる。本発明の一実施形態である、プッシュオン式蓋付き容器は、この第２軸受部にＮ極の永久磁石を設け、この第３軸受部にＳ極の永久磁石を設け、Ｎ極の此の永久磁石とＳ極の此の永久磁石を面対向して設けてある。また、次のように記すこともできる。本発明の一実施形態である、プッシュオン式蓋付き容器は、この第２軸受部にＳ極の永久磁石を設け、この第３軸受部にＮ極の永久磁石を設け、Ｓ極の此の永久磁石とＮ極の此の永久磁石を面対向して設けてある。
【００８１】
また、次のように記すこともできる。本発明の一実施形態である、プッシュオン式蓋付き容器は、この枢設しているところの軸部または此の軸部の周辺の軸周辺部または此の軸部を受ける軸受部または此の軸受部の周辺の軸受周辺部に、この蓋体と此の取付枠にて、永久磁石と永久磁石を面対向して設けてある。
【００８２】
また、次のように記すこともできる。本発明の一実施形態である、プッシュオン式蓋付き容器は、この枢設しているところの軸部または此の軸部の周辺の軸周辺部または此の軸部を受ける軸受部または此の軸受部の周辺の軸受周辺部に、この蓋体と此の取付枠にて、Ｎ極の永久磁石とＳ極の永久磁石、または、Ｓ極の永久磁石とＮ極の永久磁石を、面対向して設けてある。
【００８３】
また、次のように記すこともできる。本発明の一実施形態である、プッシュオン式蓋付き容器は、この枢設している軸部または此の軸部の周辺の軸周辺部または此の軸部を受ける軸受部または此の軸受部の周辺の軸受周辺部に、この蓋体と此の取付枠にて、永久磁石と永久磁石を面対向して設けてある。
【００８４】
また、特に図示しないが、プッシュオン式蓋付き容器を次のようにしてもよい。この投入口を閉じた此の蓋体の位置にて、永久磁石と永久磁石を面対向して設け、としてもよい。また、プッシュオン式蓋付き容器を次のようにしてもよい。この投入口を閉じた此の蓋体の全閉の位置にて、永久磁石と永久磁石を面対向して設け、としてもよい。また、プッシュオン式蓋付き容器を次のようにしてもよい。この投入口を開いた此の蓋体の位置にて、永久磁石と永久磁石を面対向して設け、としてもよい。
【００８５】
また、特に図示しないが、プッシュオン式蓋付き容器を次のようにしてもよい。この投入口を閉じた此の蓋体の位置にて、Ｎ極の永久磁石とＳ極の永久磁石を、または、Ｓ極の永久磁石とＮ極の永久磁石を、面対向して設け、としてもよい。また、プッシュオン式蓋付き容器を次のようにしてもよい。この投入口を閉じた此の蓋体の全閉の位置にて、Ｎ極の永久磁石とＳ極の永久磁石を、または、Ｓ極の永久磁石とＮ極の永久磁石を、面対向して設け、としてもよい。また、プッシュオン式蓋付き容器を次のようにしてもよい。この投入口を開いた此の蓋体の位置にて、Ｎ極の永久磁石とＳ極の永久磁石を、または、Ｓ極の永久磁石とＮ極の永久磁石を、面対向して設け、としてもよい。
【００８６】
また、スイング式蓋付き容器（９）において、次のようにしてある。図１にて、上記永久磁石（１５）と上記ヒステリシス板（１６）の間に間隙（５９）を設けてある。また、特に図示しないが、上記ヒステリシス板（１６）と上記永久磁石（１５）の間に間隙を設けてもよい。また、プッシュオン式蓋付き容器（３９）においても、図１０にて、同様に、上記永久磁石（４５）と上記ヒステリシス板（４６）の間に間隙（５９ａ）を設けてある。また、特に図示しないが、上記ヒステリシス板（４６）と上記永久磁石（４５）の間に間隙を設けてもよい。あるいは、同様に、スイング式蓋付き容器（９Ａ）、プッシュオン式蓋付き容器（３９Ａ）においても、図１、図１０にて、上記永久磁石（１５Ａ）（４５Ａ）と上記永久磁石（１５ＡＡ）（４５ＡＡ）の間に間隙（５９）（５９ａ）を各々設けてある。また、上記永久磁石（１５ＡＡ）（４５ＡＡ）と上記永久磁石（１５Ａ）（４５Ａ）の間に間隙を設けてもよい。
【００８７】
また、言い換えれば、次のように記すこともできる。スイング式蓋付き容器（９）、プッシュオン式蓋付き容器（３９）において、永久磁石とヒステリシス板、あるいは、ヒステリシス板と永久磁石を近接して設けてもよい。スイング式蓋付き容器（９Ａ）、プッシュオン式蓋付き容器（３９Ａ）において、永久磁石と永久磁石を近接して設けてもよい。または、スイング式蓋付き容器（９Ａ）、プッシュオン式蓋付き容器（３９Ａ）において、Ｎ極の永久磁石とＳ極の永久磁石、あるいは、Ｓ極の永久磁石とＮ極の永久磁石を近接して設けてもよい。
【００８８】
また、特に図示しないが、スイング式蓋付き容器、プッシュオン式蓋付き容器において、該間隙を設けなくともよい。密着させてもよい。例えば、スイング式蓋付き容器（９）において、上記永久磁石（１５）と上記ヒステリシス板（１６）を密着して設ける。その際、上記永久磁石（１５）と上記ヒステリシス板（１６）の間に作用する磁力を小さくして設け、上記蓋体（７）の重量を少し大きくして設ける等により調整してもよい。投入口を開くため上記蓋体（７）を動かした後で上記蓋体（７）から手等を離しても、投入口を閉じた上記蓋体（７）の位置に到達する前の位置、つまり、基準位置に復帰動する前に回動している蓋体が途中で停止することがない。
【００８９】
また、スイング式蓋付き容器（９）において、次のようにしてある。図１〜図３にて、上記永久磁石（１５）と上記ヒステリシス板（１６）の間に作用する磁力により、上記永久磁石（１５）が上記ヒステリシス板（１６）に吸引し密着するのを防ぐため、上記軸部（１１）に突起状のストッパー（５６）を設けてある。また、特に図示しないが、上記軸周辺部（１３）に別のストッパー機構等を設けてもよい。該ストッパー（５６）を設けることにより、該間隙（５９）を一定以上に維持できる。また、プッシュオン式蓋付き容器（３９）においても、同様に次のようにしてある。図１０にて、上記永久磁石（４５）と上記ヒステリシス板（４６）の間に作用する磁力により、上記永久磁石（４５）が上記ヒステリシス板（４６）に吸引し密着するのを防ぐため、上記軸部（４１）にストッパー（５６ａ）を設けてある。また、特に図示しないが、上記軸周辺部（４３）に別のストッパー機構等を設けてもよい。該ストッパー（５６ａ）を設けることにより、該間隙（５９）を一定以上に維持できる。
【００９０】
また、本発明の一実施形態である、スイング式蓋付き容器（９）において、上記永久磁石（１５）と上記ヒステリシス板（１６）の間に介在物（６０）を設けた、スイング式蓋付き容器（９ｆ）としてもよい。本発明の他の一実施形態である、スイング式蓋付き容器（９ｆ）は、図１５にて、介在物（６０）を、上記永久磁石（１５）と上記ヒステリシス板（１６）の間に設けてある。該介在物（６０）を設けることにより、該間隙（５９）を一定以上に維持できる。また、プッシュオン式蓋付き容器においても、同様にしてもよい。該介在物（６０）は、磁力を通す材質のもの、あるいは、磁力を通しやすいものであってもよい。例えば、合成樹脂等であってもよい。
【００９１】
また、特に図示しないが、スイング式蓋付き容器、プッシュオン式蓋付き容器において、次のようにしてもよい。蓋体、取付枠の両サイド（左右両側）の軸部、軸受部に永久磁石、ヒステリシス板を各々設けてもよい。また、蓋体、取付枠の両サイド（左右両側）の独立軸部、第２軸受部、第３軸受部に永久磁石、ヒステリシス板を各々設けてもよい。
【００９２】
また、特に図示しないが、スイング式蓋付き容器（９Ａ）、プッシュオン式蓋付き容器（３９Ａ）において、次のようにしてもよい。永久磁石と永久磁石を回転方向に交互に配設、着磁したＮＳ着磁とし、該ＮＳ着磁と該ＮＳ着磁を面対向して設けてもよい。また、スイング式蓋付き容器、プッシュオン式蓋付き容器において、次のようにしてもよい。永久磁石、Ｎ極の永久磁石、Ｓ極の永久磁石、ヒステリシス板について、対向する面の形状は、円形、三角形、四角形、五角形他、どのような形のものでもよい。また、例えば、円形の場合、全周すべてにおいて、永久磁石、Ｎ極の永久磁石、Ｓ極の永久磁石、ヒステリシス板を設けなくても、一部のみでもよい。また、次のようにしてもよい。ヨークを設けてもよい。
【００９３】
なお、スイング式蓋付き容器、プッシュオン式蓋付き容器は、永久磁石またはヒステリシス板の材質、大きさ、厚さ、形状、配置、または、永久磁石の磁力、または、面対向に設けた永久磁石とヒステリシス板の間の間隙の寸法、または、面対向に設けた永久磁石と永久磁石の間の間隙の寸法、蓋体の重量、軸部および軸受部の平滑性、形状等により、前記不必要な揺動を抑制する際の状態は一様ではない。
【００９４】
また、特に図示しないが、前記蓋付き容器において、スイング式、プッシュオン式に代えて、周知の事実であるペダル式において活用してもよい。
【００９５】
また、スイング式蓋付き容器、プッシュオン式蓋付き容器に作用する事象について記す。前記永久磁石で発生した磁束は、前記ヒステリシス板に到達し、該ヒステリシス板に誘導された磁束は、回転等させた該永久磁石または該ヒステリシス板により、その磁束変化に遅れ等を生じ、ヒステリシス損失等により制動する力になる。つまり、該ヒステリシス板は磁束変化によるヒステリシス損失を用いたヒステリシス板である。該ヒステリシス板はトルク制御によるヒステリシス板である、といえる。
【００９６】
また、次のようにしてもよい。前記ヒステリシス板について、半硬質磁石としてもよい。また、同様に、前記ヒステリシス板について、磁性体としてもよい。また、次のようにしてもよい。ヒステリシス板の材質として、マルテンサイト系ステンレス鋼、Ｍｎ鋼系、Ｃｒ−Ｃｏ系、析出硬化系ステンレス鋼、Ｃｒ鋼等があげられるが他の材料を選択してもよい。また、前記ヒステリシス板は板状に形成してなる。また、次のようにしてもよい。永久磁石、Ｎ極の永久磁石、Ｓ極の永久磁石の材質として、フェライト系プラスチックマグネット、フェライト系焼結マグネット、希土類マグネット（Ｓｎ−Ｃｏ系）（Ｎｄ−Ｆｅ−Ｂ系）、金属磁石（Ａｌ−Ｎｉ−Ｃｏ系）（Ｆｅ−Ｃｒ−Ｃｏ系）、ゴム磁石等があげられるが他の材料を選択してもよい。
【００９７】
また、ヒステリシス損失が比較的大きいＦｅ系、Ｆｅ−Ｖ系、Ｆｅ−Ｃｏ系、Ｆｅ−Ｃｒ系等のＦｅ合金、フェロックスプレーナ、Ｎｉ−フェライト等のフェライト、希土類−コバルト合金なども好ましく、これらのうち、導電性を有するものは、ヒステリシス損失による制動力のほか、渦電流損失による制動力も生じる。また、特に図示しないが、スイング式蓋付き容器、プッシュオン式蓋付き容器において、渦電流式によるものとしてもよい。
【実施例】
【００９８】
次に、本発明の従来例、実施例を示す。表１は、スイング式蓋付き容器の前記従来例と、本発明の一実施形態である、スイング式蓋付き容器（９）の実施例との、測定結果を示す。従来例１〜３、実施例１は、材料を集めて製作した容器を、従来例４は市販の容器を使用した。蓋体は、従来例１〜３、実施例１ともに共通のものを使用し、材質がポリプロピレン、長手方向の長さ２９５ｍｍ、重さ５０ｇのものを、従来例４は、材質が合成樹脂系、長手方向の長さ約２２０ｍｍのものを使用した。従来例１は、蓋体を開閉した場合に反動によって生じる蓋体の揺動を抑止するものを特に装備していない状態の容器を使用した。従来例２〜４は、蓋体の揺動を抑止するための、ねじりコイルばねを配置した。蓋体の中央部に設けた軸にねじりコイルばねを挿入し、ねじりコイルばねの一端を蓋体に、ねじりコイルばねの片一端を取付枠に固定した。開き方向（下方向）（矢印Ｄ）に手等で蓋体を押して開くと、ねじりコイルばねが付勢し、蓋体を押していた手等を蓋体より離すと、付勢しているねじりコイルばねの力により閉じ方向（上方向）（矢印Ｕ）に戻るように設けた。ねじりコイルばねは、従来例２は、線の太さ０．３ｍｍ、外径２ｍｍ、４巻きのものを、従来例３は、線の太さ０．４ｍｍ、外径９ｍｍ、４巻きのものを、従来例４は、３巻きのものを使用した。実施例１において、永久磁石（１５）は、材質がフェライト系等、円形で、外径２０ｍｍ、内径４ｍｍ、厚さ２．９ｍｍ、重さ３ｇ、ヒステリシス板（１６）は、材質が鉄系、円形中空で、外径２０ｍｍ、内径４ｍｍ、厚さ０．１ｍｍのものを使用し、永久磁石（１５）を蓋体（７）側、ヒステリシス板（１６）を取付枠（４）側に設け、永久磁石（１５）とヒステリシス板（１６）の間の離隔の長さを２ｍｍに配置した。試験１は、投入口を閉じた蓋体の位置を試験開始位置とし、該投入口を閉じた蓋体の位置から開き方向（下方向）（矢印Ｄ）に８５度蓋体が回転した場合の蓋体に加わった重さを、蓋体の先端部を測定ポイントとして各々測定した。試験２は、軸の中心を基点とし該投入口を閉じた蓋体の位置を０度として、該投入口を閉じた蓋体の位置から８５度回転した蓋体の位置を試験開始位置とし、開き方向（上方向）（矢印Ｕ）に蓋体を復元しようとした場合において、１回目の反動によって該投入口を閉じた蓋体の位置より上側の方向に達した蓋体の位置の角度を各々測定した。また、反動によって生じる蓋体の開閉の動作回数において、該投入口を閉じた蓋体の位置より下側の位置から、該投入口を閉じた蓋体の位置に復元しようする動作、該投入口を閉じた蓋体の位置より上側の位置から、該投入口を閉じた蓋体の位置に復元しようとする動作を各々１回として、動作回数を測定した。およそ１回に満たない動作の場合は０．５回とした。試験３は、従来例２〜３において、試験２を１０回実施した場合の、ねじりコイルばねの変形の有無を確認した。表１の測定結果より次のことがいえる。試験１の測定結果より、実施例１は、従来例２〜４に比べ、重さは半分程度以下であることがわかる。また、実施例１は、従来例１と比べ、顕著な差がないことがわかる。言い換えると、実施例１は、該投入口を閉じた蓋体の位置から該開き方向（下方向）（矢印Ｄ）に８５度蓋体が回動する場合に必要とする、蓋体を手で押す力は少なくて済むことがわかる。試験２の測定結果より、従来例１〜４は、角度が、有であるのに対し、実施例１は無であり、動作回数も同様であることがわかる。言い換えると、実施例１は、反動による揺動が少ないことがわかる。以上から、本実施例により発生する効果は、次の通りである。該投入口を閉じた蓋体の位置から該開き方向（下方向）（矢印Ｄ）に蓋体が回転する場合に必要とする、蓋体を手で押す力が少なくて済み、蓋体を開閉した場合に反動によって生じる揺動を少なくすることができる。
【００９９】
次に、本発明の従来例、実施例を示す。表２は、プッシュオン式蓋付き容器の前記従来例と、本発明の一実施形態である、プッシュオン式蓋付き容器（３９）の実施例との、測定結果を示す。蓋体は、従来例５、実施例２ともに共通のものを使用し、材質がポリプロピレン、長手方向の長さ２１５ｍｍ、重さ３９ｇのものを使用した。従来例５は、閉じた蓋体を開いた場合に反動によって生じる蓋体の揺動を抑止するものを特に装備していない状態の容器を使用した。実施例２において、永久磁石（１５）は、材質がフェライト系等、円形中空で、外径３０ｍｍ、内径５ｍｍ、厚さ３ｍｍ、重さ７ｇ、ヒステリシス板（１６）は、材質が鉄系、円形中空で、外径３０ｍｍ、内径５ｍｍ、厚さ０．１ｍｍのものを使用し、永久磁石（１５）を蓋体（７）側、ヒステリシス板（１６）を取付枠（４）側に設け、永久磁石（１５）とヒステリシス板（１６）の間の離隔の長さを０ｍｍとして、永久磁石（１５）とヒステリシス板（１６）を常時、接触するようにした。試験４は、投入口を開いた蓋体の位置を試験開始位置とし、投入口を閉じた蓋体の位置を試験終了位置とし、該該投入口を開いた蓋体の位置から閉じ方向（矢印Ｓ）に蓋体が回転した場合の蓋体に加わった重さを、蓋体の先端部を測定ポイントとして各々測定した。試験５は、軸の中心を基点とし該投入口を開いた蓋体の位置を０度として、該投入口を閉じた蓋体の位置の蓋体を試験開始位置とし、開き方向（矢印Ｐ）に蓋体を回転した場合において、取付枠に反動による１回目の衝突後、該投入口を開いた蓋体の位置から閉じ方向（矢印Ｓ）に戻った蓋体の位置の角度を各々測定した。また、反動によって生じる蓋体の揺動の動作回数において、該衝突後の蓋体の該投入口を開いた蓋体の位置から、該閉じ方向（矢印Ｓ）に戻ろうとする動作を１回として、動作回数を測定した。およそ１回に満たない動作の場合は０．５回とした。表２の測定結果より次のことがいえる。試験４の測定結果より、実施例２は、従来例５と比べ、顕著な差がないことがわかる。言い換えると、実施例２は、該投入口を開いた蓋体の位置から該投入口を閉じた蓋体の位置に蓋体を戻す場合に、つまり、蓋体を閉じる場合に必要とする、蓋体を手で押す力は少なくて済むことがわかる。試験５の測定結果より、角度が、実施例２は従来例５の３分の１であり、動作回数が、実施例２は従来例５に比較して少ないことがわかる。言い換えると、実施例２は、反動による揺動が少ないことがわかる。以上から、本実施例により発生する効果は、次の通りである。該投入口を開いた蓋体の位置から該投入口を閉じた蓋体の位置に蓋体が回転する場合に必要とする、蓋体を手で押す力が少なくて済み、蓋体を開いた場合に反動によって生じる揺動を少なくすることができる。
【０１００】
【表１】
2009102023.tif 000003
【０１０１】
【表２】
2009102023.tif 000004
【図面の簡単な説明】
【０１０２】
【図１】図４のＺ−ＺＺ線より矢印方向から見た、スイング式蓋付き容器（９）（９Ａ）の部分拡大断面図。
【図２】スイング式蓋付き容器（９）（９Ａ）の図１を分解した部分拡大断面図。
【図３】スイング式蓋付き容器（９）（９Ａ）の軸部・軸受部等を分解して描いた部分拡大斜視図。
【図４】スイング式蓋付き容器（９）（９Ａ）の軸部・軸受部等の部分拡大斜視図。
【図５】図１と同様でスイング式蓋付き容器（９ａ）の部分拡大断面図。
【図６】図１と同様でスイング式蓋付き容器（９ｄ）の部分拡大断面図。
【図７】図１と同様でスイング式蓋付き容器（９ｅ）の部分拡大断面図。
【図８】図１と同様でスイング式蓋付き容器（９ｂ）の部分拡大断面図。
【図９】図１と同様でスイング式蓋付き容器（９ｃ）の部分拡大断面図。
【図１０】図１と同様でプッシュオン式蓋付き容器（３９）（３９Ａ）の部分拡大断面図。
【図１１】図１と同様でプッシュオン式蓋付き容器（３９ａ）の部分拡大断面図。
【図１２】図１と同様でプッシュオン式蓋付き容器（３９ｄ）の部分拡大断面図。
【図１３】図１と同様でプッシュオン式蓋付き容器（３９ｅ）の部分拡大断面図。
【図１４】図１と同様でプッシュオン式蓋付き容器（３９ｂ）の部分拡大断面図。
【図１５】図１と同様でスイング式蓋付き容器（９ｆ）の部分拡大断面図。
【図１６】スイング式蓋付き容器（９）（９ａ）（９ｂ）（９ｃ）（９ｄ）（９ｅ）（９ｆ）（９Ａ）の斜視図。
【図１７】プッシュオン式蓋付き容器（３９）（３９ａ）（３９ｂ）（３９ｄ）（３９ｅ）（３９Ａ）の斜視図。
【図１８】スイング式蓋付き容器（９Ｆ）における、永久磁石の取付箇所の正面図
【図１９】スイング式蓋付き容器（９Ｇ）における、永久磁石の取付箇所の正面図
【図２０】スイング式蓋付き容器（９Ｈ）における、永久磁石の取付箇所の正面図
【図２１】スイング式蓋付き容器（９Ｊ）における、永久磁石の取付箇所の正面図
【図２２】スイング式蓋付き容器（９Ｋ）における、ヒステリシス板と永久磁石の取付箇所の正面図
【符号の説明】
【０１０３】
（１）        開口部
（２）        容器本体
（３）        上縁
（４）        取付枠
（５）        投入口
（６）        中央部
（７）        蓋体
（７Ａ）      蓋体
（８）        端部
（９）        スイング式蓋付き容器
（９ａ）      スイング式蓋付き容器
（９ｂ）      スイング式蓋付き容器
（９ｃ）      スイング式蓋付き容器
（９ｄ）      スイング式蓋付き容器
（９ｅ）      スイング式蓋付き容器
（９ｆ）      スイング式蓋付き容器
（９Ａ）      スイング式蓋付き容器
（９Ｆ）      スイング式蓋付き容器
（９Ｇ）      スイング式蓋付き容器
（９Ｈ）      スイング式蓋付き容器
（９Ｊ）      スイング式蓋付き容器
（９Ｋ）      スイング式蓋付き容器
（１０）      中央部
（１１）      軸部
（１１ａ）    軸部
（１１ｂ）    軸部
（１１ｃ）    軸部
（１１ｄ）    軸部
（１２）      軸受部
（１２ａ）    軸受部
（１２ｂ）    軸受部
（１２ｃ）    軸受部
（１２ｄ）    軸受部
（１３ｄ）    軸周辺部
（１４）      軸受周辺部
（１４ｂ）    軸受周辺部
（１４ｃ）    軸受周辺部
（１５）      永久磁石
（１５ａ）    永久磁石
（１５ｂ）    永久磁石
（１５ｃ）    永久磁石
（１５ｄ）    永久磁石
（１５ｅ）    永久磁石
（１５Ａ）    Ｎ極の永久磁石
（１５ＡＡ）  Ｓ極の永久磁石
（１６）      ヒステリシス板
（１６ａ）    ヒステリシス板
（１６ｂ）    ヒステリシス板
（１６ｃ）    ヒステリシス板
（１６ｄ）    ヒステリシス板
（１６ｅ）    ヒステリシス板
（１７）      第２軸受部
（１８）      第３軸受部
（１９）      独立軸部
（２２）      掛止部材
（２３）      バネ
（２４）      Ｓ極の永久磁石
（２４ａ）    Ｓ極の永久磁石
（２４ｂ）    Ｓ極の永久磁石
（２５）      左端部
（２６）      Ｎ極の永久磁石
（２６ａ）    Ｎ極の永久磁石
（２６ｂ）    Ｎ極の永久磁石
（２６ｃ）    Ｎ極の永久磁石
（２８）      Ｎ極の永久磁石
（２８ａ）    Ｎ極の永久磁石
（２８ｂ）    Ｎ極の永久磁石
（２９）      Ｓ極の永久磁石
（３０）      ヒステリシス板
（３１）      開口部
（３２）      容器本体
（３３）      上縁
（３４）      取付枠
（３５）      投入口
（３６）      中央部
（３７）      蓋体
（３７Ａ）    蓋体
（３８）      端部
（３９）      プッシュオン式蓋付き容器
（３９ａ）    プッシュオン式蓋付き容器
（３９ｂ）    プッシュオン式蓋付き容器
（３９ｄ）    プッシュオン式蓋付き容器
（３９ｅ）    プッシュオン式蓋付き容器
（３９Ａ）    プッシュオン式蓋付き容器
（４０）      中央部
（４１）      軸部
（４１ａ）    軸部
（４１ｂ）    軸部
（４１ｄ）    軸部
（４２）      軸受部
（４２ａ）    軸受部
（４２ｂ）    軸受部
（４２ｄ）    軸受部
（４３）      軸周辺部
（４３ａ）    軸周辺部
（４３ｂ）    軸周辺部
（４３ｄ）    軸周辺部
（４４）      軸受周辺部
（４４ｂ）    軸受周辺部
（４５）      永久磁石
（４５ａ）    永久磁石
（４５ｂ）    永久磁石
（４５ｄ）    永久磁石
（４５ｅ）    永久磁石
（４５Ａ）    Ｎ極の永久磁石
（４５ＡＡ）  Ｓ極の永久磁石
（４６）      ヒステリシス板
（４６ａ）    ヒステリシス板
（４６ｂ）    ヒステリシス板
（４６ｄ）    ヒステリシス板
（４６ｅ）    ヒステリシス板
（４７）      第２軸受部
（４８）      第３軸受部
（４９）      独立軸部
（５２）      永久磁石
（５３）      部分
（５４）      凹部
（５６）      ストッパー
（５６ａ）    ストッパー
（５８）      凹部
（５９）      間隙
（５９ａ）    間隙
（６０）      介在物
（６１）      一端
（６２）      側端
（６３）      側端
（６４）      軸
（６４ａ）    軸
（６４ｂ）    軸
（６４ｃ）    軸
（６４ｄ）    軸
（６４ｅ）    軸
（６５）      抜け止め
（６５ａ）    抜け止め
（６５ｂ）    抜け止め
（６５ｃ）    抜け止め
（６５ｅ）    抜け止め
（６６）      軸
（６６ａ）    軸
（６６ｂ）    軸
（６６ｄ）    軸
（６６ｅ）    軸
（６７）      抜け止め
（６７ａ）    抜け止め
（６７ｂ）    抜け止め
（６７ｅ）    抜け止め
（矢印Ｄ）    開き方向（下方向）
（矢印Ｄ１）  下方向
（矢印Ｕ）    開き方向（上方向）
（矢印Ｐ）    開き方向
（矢印Ｐ１）  開き方向
（矢印Ｐ２）  開き方向
（矢印Ｐ３）  開き方向
（矢印Ｐ４）  開き方向
（矢印Ｐ５）  開き方向
（矢印Ｓ）    閉じ方向
（矢印Ｔ）    閉じ方向
（矢印Ｔ１）  閉じ方向
（矢印Ｔ２）  閉じ方向
（矢印Ｔ３）  閉じ方向
（矢印Ｔ４）  閉じ方向
（矢印Ｔ５）  閉じ方向
【図１】
2009102023.tif 000005
【図２】
2009102023.tif 000006
【図３】
2009102023.tif 000007
【図４】
2009102023.tif 000008
【図５】
2009102023.tif 000009
【図６】
2009102023.tif 000010
【図７】
2009102023.tif 000011
【図８】
2009102023.tif 000012
【図９】
2009102023.tif 000013
【図１０】
2009102023.tif 000014
【図１１】
2009102023.tif 000015
【図１２】
2009102023.tif 000016
【図１３】
2009102023.tif 000017
【図１４】
2009102023.tif 000018
【図１５】
2009102023.tif 000019
【図１６】
2009102023.tif 000020
【図１７】
2009102023.tif 000021
【図１８】
2009102023.tif 000022
【図１９】
2009102023.tif 000023
【図２０】
2009102023.tif 000024
【図２１】
2009102023.tif 000025
【図２２】
2009102023.tif 000026